(57)【特許請求の範囲】
【請求項１】
支持体を備え、前記支持体に、複数の輝尽性蛍光体層領域が互いに離間して、形成され、さらに、前記複数の輝尽性蛍光体層領域から離間して、少なくとも１つの付加的輝尽性蛍光体層領域が形成されたことを特徴とする蓄積性蛍光体シート。
【請求項２】
前記支持体に、複数の孔が、互いに離間して、形成され、前記輝尽性蛍光体層領域が、前記複数の孔内に、輝尽性蛍光体を充填することによって、形成されていることを特徴とする請求項１に記載の蓄積性蛍光体シート。
【請求項３】
前記支持体に、複数の貫通孔が、互いに離間して、形成され、前記複数の輝尽性蛍光体層領域が、前記複数の貫通孔内に、輝尽性蛍光体を充填することによって、形成されていることを特徴とする請求項２に記載の蓄積性蛍光体シート。
【請求項４】
前記支持体に、複数の凹部が、互いに離間して、形成され、前記複数の輝尽性蛍光体層領域が、前記複数の凹部内に、輝尽性蛍光体を充填することによって、形成されていることを特徴とする請求項２に記載の蓄積性蛍光体シート。
【請求項５】
前記複数の輝尽性蛍光体層領域が、前記支持体上に、形成されたことを特徴とする請求項１に記載の蓄積性蛍光体シート。
【請求項６】
前記複数の輝尽性蛍光体層領域が、前記支持体に、ドット状に形成されていることを特徴とする請求項１ないし５のいずれか１項に記載の蓄積性蛍光体シート。
【請求項７】
前記支持体に、前記複数の付加的輝尽性蛍光体層領域が、ドット状に形成されていることを特徴とする請求項１ないし６のいずれか１項に記載の蓄積性蛍光体シート。
【請求項８】
前記複数の輝尽性蛍光体領域の少なくとも一部の間の前記支持体に、複数の付加的輝尽性蛍光体層領域が、ドット状に形成されていることを特徴とする請求項７に記載の蓄積性蛍光体シート。
【請求項９】
前記少なくとも１つの付加的輝尽性蛍光体層領域が、前記支持体に、ストライプ状に形成されていることを特徴とする請求項１ないし６のいずれか１項に記載の蓄積性蛍光体シート。
【請求項１０】
前記複数の輝尽性蛍光体領域の少なくとも一部の間の前記支持体に、前記少なくとも１つの付加的輝尽性蛍光体層領域が、ストライプ状に形成されていることを特徴とする請求項９に記載の蓄積性蛍光体シート。
【請求項１１】
前記少なくとも１つの付加的輝尽性蛍光体層領域が、その面積が、前記複数の輝尽性蛍光体層領域のそれぞれの面積よりも小さくなるように、前記支持体に形成されていることを特徴とする請求項１ないし１０のいずれか１項に記載の蓄積性蛍光体シート。
【請求項１２】
前記支持体が、放射線を減衰させる材料によって形成されたことを特徴とする請求項１ないし１１のいずれか１項に記載の蓄積性蛍光体シート。
【請求項１３】
前記支持体が、隣り合う輝尽性蛍光体層領域の間の距離に等しい距離だけ、放射線が前記支持体中を透過したときに、放射線のエネルギーを、１／５以下に減衰させる性質を有する材料によって形成されたことを特徴とする請求項１２に記載の蓄積性蛍光体シート。
【請求項１４】
前記支持体が、隣り合う輝尽性蛍光体層領域の間の距離に等しい距離だけ、放射線が前記支持体中を透過したときに、放射線のエネルギーを、１／１０以下に減衰させる性質を有する材料によって形成されたことを特徴とする請求項１３に記載の蓄積性蛍光体シート。
【請求項１５】
前記支持体が、隣り合う輝尽性蛍光体層領域の間の距離に等しい距離だけ、放射線が前記支持体中を透過したときに、放射線のエネルギーを、１／１００以下に減衰させる性質を有する材料によって形成されたことを特徴とする請求項１４に記載の蓄積性蛍光体シート。
【請求項１６】
前記支持体が、金属材料、セラミック材料およびプラスチック材料よりなる群から選ばれる材料によって形成されたことを特徴とする請求項１３ないし１５のいずれか１項に記載の蓄積性蛍光体シート。
【請求項１７】
支持体を備え、前記支持体に、複数の輝尽性蛍光体層領域が互いに離間して、形成され、さらに、前記複数の輝尽性蛍光体層領域から離間して、少なくとも１つの付加的輝尽性蛍光体層領域が形成された蓄積性蛍光体シートと、構造または特性が既知の特異的結合物質が滴下され、前記特異的結合物質に、放射性標識物質によって標識された生体由来の物質が選択的に特異的に結合され、選択的に標識されて形成された複数のスポット状領域を有する生化学解析用ユニットとを重ね合わせて、前記複数のスポット状領域に選択的に含まれている前記放射性標識物質によって、前記蓄積性蛍光体シートの前記複数の輝尽性蛍光体層領域を露光した後、前記蓄積性蛍光体シートの前記複数の輝尽性蛍光体層領域および前記少なくとも１つの付加的輝尽性蛍光体層領域に励起光を照射して、前記複数の輝尽性蛍光体層領域および前記少なくとも１つの付加的輝尽性蛍光体層領域に含まれている輝尽性蛍光体を励起し、前記輝尽性蛍光体から放出された輝尽光を光電的に検出し、得られたアナログデータをディジタル化して、ディジタルデータを生成し、前記複数の輝尽性蛍光体層領域に励起光を照射して、輝尽性蛍光体から放出された輝尽光を光電的に検出して、得られたディジタルデータから、前記少なくとも１つの付加的輝尽性蛍光体層領域に励起光を照射して、輝尽性蛍光体から放出された輝尽光を光電的に検出して、得られたディジタルデータを減算して、生化学解析用データを生成することを特徴とする蓄積性蛍光体シートに記録された生化学解析用のデータの読み取り方法。
【請求項１８】
前記支持体に、複数の孔が、互いに離間して、形成され、前記複数の輝尽性蛍光体層領域が、前記複数の孔内に、輝尽性蛍光体を充填することによって、形成されていることを特徴とする請求項１７に記載の蓄積性蛍光体シートに記録された生化学解析用のデータの読み取り方法。
【請求項１９】
前記複数の輝尽性蛍光体層領域が、前記支持体の表面上に形成されたことを特徴とする請求項１７に記載の蓄積性蛍光体シートに記録された生化学解析用のデータの読み取り方法。
【請求項２０】
前記複数の輝尽性蛍光体層領域が、前記支持体に、ドット状に形成されたことを特徴とする請求項１７ないし１９のいずれか１項に記載の蓄積性蛍光体シートに記録された生化学解析用のデータの読み取り方法。
【請求項２１】
複数の付加的輝尽性蛍光体層領域が、前記支持体に、ドット状に形成されていることを特徴とする請求項１７ないし２０のいずれか１項に記載の蓄積性蛍光体シートに記録された生化学解析用のデータの読み取り方法。
【請求項２２】
前記複数の輝尽性蛍光体領域の少なくとも一部の間の前記支持体に、前記複数の付加的輝尽性蛍光体層領域が、ドット状に形成されていることを特徴とする請求項２１に記載の蓄積性蛍光体シートに記録された生化学解析用のデータの読み取り方法。
【請求項２３】
前記少なくとも１つの付加的輝尽性蛍光体層領域が、前記支持体に、ストライプ状に形成されていることを特徴とする請求項１７ないし２０のいずれか１項に記載の蓄積性蛍光体シートに記録された生化学解析用のデータの読み取り方法。
【請求項２４】
前記複数の輝尽性蛍光体領域の少なくとも一部の間の前記支持体に、前記少なくとも１つの付加的輝尽性蛍光体層領域が、ストライプ状に形成されていることを特徴とする請求項２３に記載の蓄積性蛍光体シートに記録された生化学解析用のデータの読み取り方法。
【請求項２５】
前記少なくとも１つの付加的輝尽性蛍光体層領域が、その面積が、前記複数の輝尽性蛍光体層領域のそれぞれの面積よりも小さくなるように、前記支持体に形成されていることを特徴とする請求項１７ないし２４のいずれか１項に記載の蓄積性蛍光体シートに記録された生化学解析用のデータの読み取り方法。
【請求項２６】
前記支持体が、放射線を減衰させる材料によって形成されたことを特徴とする請求項１７ないし２５のいずれか１項に記載の蓄積性蛍光体シートに記録された生化学解析用のデータの読み取り方法。
【請求項２７】
前記支持体が、隣り合う輝尽性蛍光体層領域の間の距離に等しい距離だけ、放射線が前記支持体中を透過したときに、放射線のエネルギーを、１／５以下に減衰させる性質を有する材料によって形成されたことを特徴とする請求項２６に記載の蓄積性蛍光体シートに記録された生化学解析用のデータの読み取り方法。
【請求項２８】
前記支持体が、金属材料、セラミック材料およびプラスチック材料よりなる群から選ばれる材料によって形成されたことを特徴とする請求項２７に記載の蓄積性蛍光体シートに記録された生化学解析用のデータの読み取り方法。
【発明の詳細な説明】
【０００１】
【発明の属する技術分野】
本発明は、蓄積性蛍光体シートおよび蓄積性蛍光体シートに記録された生化学解析用のデータの読み取り方法に関するものであり、さらに詳細には、生体由来の物質と特異的に結合可能で、かつ、塩基配列や塩基の長さ、組成などが既知の特異的結合物質を含む複数のスポット状領域を、担体表面に、高密度に形成し、複数のスポット状領域に含まれた特異的結合物質に、放射性標識物質によって標識された生体由来の物質を特異的に結合させて、複数のスポット状領域を選択的に標識した場合においても、高い分解能で、定量性に優れた生化学解析用のデータを生成することのできる蓄積性蛍光体シートおよび蓄積性蛍光体シートに記録された生化学解析用のデータの読み取り方法に関するものである。
【０００２】
【従来の技術】
放射線が照射されると、放射線のエネルギーを吸収して、蓄積、記録し、その後に、特定の波長域の電磁波を用いて励起すると、照射された放射線のエネルギーの量に応じた光量の輝尽光を発する特性を有する輝尽性蛍光体を、放射線の検出材料として用い、放射性標識を付与した物質を、生物体に投与した後、その生物体あるいはその生物体の組織の一部を試料とし、この試料を、輝尽性蛍光体層が設けられた蓄積性蛍光体シートと一定時間重ね合わせることにより、放射線エネルギーを輝尽性蛍光体に、蓄積、記録し、しかる後に、電磁波によって、輝尽性蛍光体層を走査して、輝尽性蛍光体を励起し、輝尽性蛍光体から放出された輝尽光を光電的に検出して、ディジタル画像信号を生成し、画像処理を施して、ＣＲＴなどの表示手段上あるいは写真フイルムなどの記録材料上に、画像を再生するように構成されたオートラジオグラフィ解析システムが知られている（たとえば、特公平１−７０８８４号公報、特公平１−７０８８２号公報、特公平４−３９６２号公報など）。
【０００３】
蓄積性蛍光体シートを放射線の検出材料として使用するオートラジオグラフィ解析システムは、写真フイルムを用いる場合とは異なり、現像処理という化学的処理が不必要であるだけでなく、得られたディジタルデータにデータ処理を施すことにより、所望のように、解析用データを再生し、あるいは、コンピュータによる定量解析が可能になるという利点を有している。
【０００４】
他方、オートラジオグラフィ解析システムにおける放射性標識物質に代えて、蛍光色素などの蛍光物質を標識物質として使用した蛍光（fluorescence)解析システムが知られている。この蛍光解析システムによれば、蛍光物質から放出された蛍光を検出することによって、遺伝子配列、遺伝子の発現レベル、実験用マウスにおける投与物質の代謝、吸収、排泄の経路、状態、蛋白質の分離、同定、あるいは、分子量、特性の評価などをおこなうことができ、たとえば、電気泳動されるべき複数種の蛋白質分子を含む溶液を、ゲル支持体上で、電気泳動させた後に、ゲル支持体を蛍光色素を含んだ溶液に浸すなどして、電気泳動された蛋白質を染色し、励起光によって、蛍光色素を励起して、生じた蛍光を検出することによって、画像を生成し、ゲル支持体上の蛋白質分子の位置および量的分布を検出したりすることができる。あるいは、ウェスタン・ブロッティング法により、ニトロセルロースなどの転写支持体上に、電気泳動された蛋白質分子の少なくとも一部を転写し、目的とする蛋白質に特異的に反応する抗体を蛍光色素で標識して調製したプローブと蛋白質分子とを会合させ、特異的に反応する抗体にのみ結合する蛋白質分子を選択的に標識し、励起光によって、蛍光色素を励起して、生じた蛍光を検出することにより、画像を生成し、転写支持体上の蛋白質分子の位置および量的分布を検出したりすることができる。また、電気泳動させるべき複数のＤＮＡ断片を含む溶液中に、蛍光色素を加えた後に、複数のＤＮＡ断片をゲル支持体上で電気泳動させ、あるいは、蛍光色素を含有させたゲル支持体上で、複数のＤＮＡ断片を電気泳動させ、あるいは、複数のＤＮＡ断片を、ゲル支持体上で、電気泳動させた後に、ゲル支持体を、蛍光色素を含んだ溶液に浸すなどして、電気泳動されたＤＮＡ断片を標識し、励起光により、蛍光色素を励起して、生じた蛍光を検出することにより、画像を生成し、ゲル支持体上のＤＮＡを分布を検出したり、あるいは、複数のＤＮＡ断片を、ゲル支持体上で、電気泳動させた後に、ＤＮＡを変性（denaturation)し、次いで、サザン・ブロッティング法により、ニトロセルロースなどの転写支持体上に、変性ＤＮＡ断片の少なくとも一部を転写し、目的とするＤＮＡと相補的なＤＮＡもしくはＲＮＡを蛍光色素で標識して調製したプローブと変性ＤＮＡ断片とをハイブリダイズさせ、プローブＤＮＡもしくはプローブＲＮＡと相補的なＤＮＡ断片のみを選択的に標識し、励起光によって、蛍光色素を励起して、生じた蛍光を検出することにより、画像を生成し、転写支持体上の目的とするＤＮＡの分布を検出したりすることができる。さらに、標識物質によって標識した目的とする遺伝子を含むＤＮＡと相補的なＤＮＡプローブを調製して、転写支持体上のＤＮＡとハイブリダイズさせ、酵素を、標識物質により標識された相補的なＤＮＡと結合させた後、蛍光基質と接触させて、蛍光基質を蛍光を発する蛍光物質に変化させ、励起光によって、生成された蛍光物質を励起して、生じた蛍光を検出することにより、画像を生成し、転写支持体上の目的とするＤＮＡの分布を検出したりすることもできる。この蛍光解析システムは、放射性物質を使用することなく、簡易に、遺伝子配列などを検出するこ���ができるという利点がある。
【０００５】
また、同様に、蛋白質や核酸などの生体由来の物質を支持体に固定し、化学発光基質と接触させることによって化学発光を生じさせる標識物質により、選択的に標識し、標識物質によって選択的に標識された生体由来の物質と化学発光基質とを接触させて、化学発光基質と標識物質との接触によって生ずる可視光波長域の化学発光を、光電的に検出して、ディジタル画像信号を生成し、画像処理を施して、ＣＲＴなどの表示手段あるいは写真フィルムなどの記録材料上に、化学発光画像を再生して、遺伝子情報などの生体由来の物質に関する情報を得るようにした化学発光解析システムも知られている。
【０００６】
さらに、近年、スライドガラス板やメンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、蛍光物質、色素などの標識物質によって標識された物質を、ハイブリダイゼーションなどによって、特異的結合物質に、特異的に結合させたマイクロアレイに、励起光を照射して、蛍光物質、色素などの標識物質から発せられた蛍光などの光を光電的に検出して、生体由来の物質を解析するマイクロアレイ解析システムが開発されている。このマイクロアレイ解析システムによれば、スライドガラス板やメンブレンフィルタなどの担体表面上の異なる位置に、数多くの特異的結合物質のスポットを高密度に形成して、標識物質によって標識された生体由来の物質をハイブリダイズさせることによって、短時間に、生体由来の物質を解析することが可能になるという利点がある。
【０００７】
また、メンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、放射性標識物質によって標識された物質を、ハイブリダイゼーションなどによって、特異的結合物質に、特異的に結合させたマクロアレイを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成し、生体由来の物質を解析する放射性標識物質を用いたマクロアレイ解析システムも開発されている。
【０００８】
【発明が解決しようとする課題】
しかしながら、放射性標識物質を標識物質として用いたマクロアレイ解析システムにあっては、輝尽性蛍光体層を露光する際、メンブレンフィルタなどの担体表面上に形成されたスポット状領域に含まれた放射性標識物質の放射線エネルギーが非常に大きいため、放射性標識物質から発せられる電子線（β線）が散乱して、隣り合うスポット状領域に含まれた放射性標識物質によって露光されるべき輝尽性蛍光体層の領域に入射し、あるいは、隣り合うスポット状領域の間のメンブレンフィルタなどの担体表面上に付着した放射性標識物質から放出された電子線（β線）が、輝尽性蛍光体層に入射し、その結果、輝尽光を光電的に検出して生成された生化学解析用データ中にノイズが生成され、隣り合うスポット状領域間でのデータの分離が困難になって、分解能が低下するとともに、各スポット状領域の放射線量を定量して、生体由来の物質を解析する際、定量性が悪化するという問題があり、スポット状領域を近接して形成して、高密度化しようとする場合には、とくに、分解能が低下する著しく低下するとともに、定量性の著しい悪化が認められている。
【０００９】
したがって、本発明は、生体由来の物質と特異的に結合可能で、かつ、塩基配列や塩基の長さ、組成などが既知の特異的結合物質を含む複数のスポット状領域を、担体表面に、高密度に形成し、複数のスポット状領域に含まれた特異的結合物質に、放射性標識物質によって標識された生体由来の物質を特異的に結合させて、複数のスポット状領域を選択的に標識した場合においても、高い分解能で、定量性に優れた生化学解析用のデータを生成することのできる蓄積性蛍光体シートおよび蓄積性蛍光体シートに記録された生化学解析用のデータの読み取り方法を提供することを目的とするものである。
【００１０】
【課題を解決するための手段】
本発明のかかる目的は、支持体を備え、前記支持体に、複数の輝尽性蛍光体層領域が互いに離間して、形成され、さらに、前記複数の輝尽性蛍光体層領域から離間して、少なくとも１つの付加的輝尽性蛍光体層領域が形成されたことを特徴とする蓄積性蛍光体シートによって達成される。
【００１１】
本発明によれば、生体由来の物質と特異的に結合可能で、かつ、塩基配列や塩基の長さ、組成などが既知の特異的結合物質を含む複数のスポット状領域を、メンブレンフィルタなどの担体表面に、高密度に形成し、複数のスポット状領域に含まれた特異的結合物質に、放射性標識物質によって標識された生体由来の物質を特異的に結合させて、複数のスポット状領域を選択的に標識した場合においても、担体に形成された複数のスポット状領域と同じパターンによって、複数の輝尽性蛍光体層領域を、支持体に形成することにより、担体と蓄積性蛍光体シートを重ね合わせて、複数のスポット状領域に選択的に含まれた放射性標識物質によって、複数の輝尽性蛍光体層領域を露光する際に、各スポット状領域に含まれている放射性標識物質から放出された電子線（β線）が、そのスポット状領域に含まれた放射性標識物質から放出された電子線（β線）によって露光されるべき輝尽性蛍光体層領域以外の輝尽性蛍光体層領域に入射することを効果的に防止することができ、したがって、露光された複数の輝尽性蛍光体層領域を励起光によって走査し、複数の輝尽性蛍光体層領域から放出された輝尽光を光電的に検出することによって、高い分解能で、定量性に優れた生化学解析用のデータを生成することが可能になる。
【００１２】
さらに、放射性標識物質を選択的に含む複数のスポット状領域が形成されたメンブレンフィルタなどの担体と、複数の輝尽性蛍光体層領域が形成された蓄積性蛍光体シートとを重ね合わせて、複数のスポット状領域に選択的に含まれた放射性標識物質によって、複数の輝尽性蛍光体層領域を露光する際、蓄積性蛍光体シートの支持体に形成された複数の輝尽性蛍光体層領域には、担体に形成されたスポット状領域に選択的に含まれている放射性標識物質から放出された電子線（β線）のみならず、ハイブリダイゼーションなどによって、担体表面に付着し、洗浄後も残存している放射性標識物質から放出される電子線（β線）や、環境放射線なども入射するため、露光された蓄積性蛍光体シートの複数の輝尽性蛍光体層領域を励起光によって走査し、複数の輝尽性蛍光体層から放出された輝尽光を光電的に検出することにより生成した生化学解析用のデータには、ハイブリダイゼーションなどによって、担体表面に付着し、洗浄後も残存している放射性標識物質から放出される電子線（β線）や、環境放射線などが、蓄積性蛍光体シートの支持体に形成された複数の輝尽性蛍光体層領域に入射することに起因するバックグラウンドノイズが不可避的に含まれることになるが、本発明によれば、さらに、蓄積性蛍光体シートの支持体には、複数の輝尽性蛍光体層領域から離間して、少なくとも１つの付加的輝尽性蛍光体層領域が形成されており、少なくとも１つの付加的輝尽性蛍光体層領域には、担体に形成されたスポット状領域に選択的に含まれている放射性標識物質から放出された電子線（β線）は入射せず、もっぱら、ハイブリダイゼーションなどによって、担体表面に付着し、洗浄後も残存している放射性標識物質から放出される電子線（β線）や、環境放射線などが入射して、露光されるから、少なくとも１つの付加的輝尽性蛍光体層領域を励起光によって走査し、少なくとも１つの付加的輝尽性蛍光体層領域から放出された輝尽光を光電的に検出することにより生成した生化学解析用データは、バックグラウンドノイズに対応し、したがって、露光された蓄積性蛍光体シートの複数の輝尽性蛍光体層領域を励起光によって走査し、複数の輝尽性蛍光体層領域から放出された輝尽光を光電的に検出することにより生成した生化学解析用データから、少なくとも１つの付加的輝尽性蛍光体層領域を励起光によって走査し、少なくとも１つの付加的輝尽性蛍光体層領域から放出された輝尽光を光電的に検出することにより生成したデータを減算することによって、バックグラウンドノイズのない生化学解析用データを生成することが可能になる。
【００１３】
本発明の前記目的はまた、支持体を備え、前記支持体に、複数の輝尽性蛍光体層領域が互いに離間して、形成され、さらに、前記複数の輝尽性蛍光体層領域から離間して、少なくとも１つの付加的輝尽性蛍光体層領域が形成された蓄積性蛍光体シートと、構造または特性が既知の特異的結合物質が滴下され、前記特異的結合物質に、放射性標識物質によって標識された生体由来の物質が選択的に特異的に結合され、選択的に標識されて形成された複数のスポット状領域を有する生化学解析用ユニットとを重ね合わせて、前記複数のスポット状領域に選択的に含まれている前記放射性標識物質によって、前記蓄積性蛍光体シートの前記複数の輝尽性蛍光体層領域を露光した後、前記蓄積性蛍光体シートの前記複数の輝尽性蛍光体層領域および前記少なくとも１つの付加的輝尽性蛍光体層領域に励起光を照射して、前記複数の輝尽性蛍光体層領域および前記少なくとも１つの付加的輝尽性蛍光体層領域に含まれている輝尽性蛍光体を励起し、前記輝尽性蛍光体から放出された輝尽光を光電的に検出し、得られたアナログデータをディジタル化して、ディジタルデータを生成し、前記複数の輝尽性蛍光体層領域に励起光を照射して、輝尽性蛍光体から放出された輝尽光を光電的に検出して、得られたディジタルデータから、前記少なくとも１つの付加的輝尽性蛍光体層領域に励起光を照射して、輝尽性蛍光体から放出された輝尽光を光電的に検出して、得られたディジタルデータを減算して、生化学解析用データを生成することを特徴とする蓄積性蛍光体シートに記録された生化学解析用のデータの読み取り方法によって達成される。
【００１４】
構造または特性が既知の特異的結合物質を滴下し、特異的結合物質に、放射性標識物質によって標識された生体由来の物質を、ハイブリダイゼーションなどによって、選択的に特異的に結合させて、選択的に標識することによって、形成された複数のスポット状領域を有する生化学解析用ユニットと、支持体を備え、支持体に、複数の輝尽性蛍光体層領域が形成された蓄積性蛍光体シートとを重ね合わせて、生化学解析用ユニットに形成された複数のスポット状領域に選択的に含まれている放射性標識物質によって、蓄積性蛍光体シートに形成された副輝尽性蛍光体層領域を露光する際、蓄積性蛍光体シートの支持体に形成された複数の輝尽性蛍光体層領域には、生化学解析用ユニットに形成された複数のスポットに含まれている放射性標識物質から放出された電子線のみならず、ハイブリダイゼーションなどによって、生化学解析用ユニットの表面の複数のスポット状領域以外の領域に付着し、洗浄後も残存している放射性標識物質から放出される電子線や、環境放射線なども入射するため、蓄積性蛍光体シートの支持体に形成され、露光された複数の輝尽性蛍光体層領域を励起光によって走査し、複数の輝尽性蛍光体層領域から放出された輝尽光を光電的に検出することにより生成した生化学解析用のデータには、ハイブリダイゼーションなどによって、生化学解析用ユニットの表面の複数のスポット状領域以外の領域に付着し、洗浄後も残存している放射性標識物質から放出される電子線や、環境放射線などが、蓄積性蛍光体シートの支持体に形成された複数の輝尽性蛍光体層領域に入射することに起因するバックグラウンドノイズが不可避的に含まれることになるが、本発明によれば、蓄積性蛍光体シートの支持体には、さらに、複数の輝尽性蛍光体層領域から離間して、少なくとも１つの付加的輝尽性蛍光体層領域が形成されており、少なくとも１つの付加的輝尽性蛍光体層領域には、生化学解析用ユニットに形成された複数のスポットに含まれている放射性標識物質から放出された電子線は入射せず、もっぱら、生化学解析用ユニットの表面の複数のスポット以外の領域に付着し、洗浄後も残存している放射性標識物質から放出される電子線や、環境放射線などが入射して、露光されるから、少なくとも１つの付加的輝尽性蛍光体層領域を励起光によって走査し、少なくとも１つの付加的輝尽性蛍光体層から放出された輝尽光を光電的に検出することにより生成した生化学解析用のデータは、バックグラウンドノイズに対応し、したがって、支持体を備え、支持体に、複数の輝尽性蛍光体層領域が互いに離間して、形成され、さらに、複数の輝尽性蛍光体層領域から離間して、少なくとも１つの付加的輝尽性蛍光体層領域が形成された蓄積性蛍光体シートと、構造または特性が既知の特異的結合物質を滴下し、特異的結合物質に、放射性標識物質によって標識された生体由来の物質を、ハイブリダイゼーションなどによって、選択的に特異的に結合させて、選択的に標識することによって、形成された複数のスポット状領域を有する生化学解析用ユニットとを重ね合わせて、生化学解析用ユニットに形成された複数のスポット状領域に選択的に含まれている放射性標識物質によって、蓄積性蛍光体シートに形成された複数の輝尽性蛍光体層領域を露光した後、複数の輝尽性蛍光体層領域および少なくとも１つの付加的輝尽性蛍光体層領域に励起光を照射して、複数の輝尽性蛍光体層領域および少なくとも１つの付加的輝尽性蛍光体層領域に含まれている輝尽性蛍光体を励起し、輝尽性蛍光体から放出された輝尽光を光電的に検出し、得られたアナログデータをディジタル化して、ディジタルデータを生成し、複数の輝尽性蛍光体層領域に励起光を照射して、輝尽性蛍光体から放出された輝尽光を光電的に検出して、得られたディジタルデータから、少なくとも１つの付加的輝尽性蛍光体層領域に励起光を照射して、輝尽性蛍光体から放出された輝尽光を光電的に検出して、得られたディジタルデータを減算することによって、バックグラウンドノイズのない生化学解析用データを生成することが可能になる。
【００１５】
本発明の好ましい実施態様においては、前記蓄積性蛍光体シートの前記支持体に、複数の孔が、互いに離間して、形成され、前記輝尽性蛍光体層領域が、前記複数の孔内に、輝尽性蛍光体を充填することによって、形成されている。
【００１６】
本発明のさらに好ましい実施態様においては、前記蓄積性蛍光体シートの前記支持体に、複数の貫通孔が、互いに離間して、形成され、前記輝尽性蛍光体層領域が、前記複数の貫通孔内に、輝尽性蛍光体を埋め込むことによって、形成されている。
【００１７】
本発明の別の好ましい実施態様においては、前記蓄積性蛍光体シートの前記支持体に、複数の貫通孔が、互いに離間して、形成され、前記蓄積性蛍光体シートの前記複数の輝尽性蛍光体層領域が、前記複数の貫通孔内に、輝尽性蛍光体を含む輝尽性蛍光体膜が圧入されて、形成されている。
【００１８】
本発明の別の好ましい実施態様においては、前記蓄積性蛍光体シートの前記支持体に、複数の凹部が、互いに離間して、形成され、前記輝尽性蛍光体層領域が、前記複数の凹部内に、輝尽性蛍光体を埋め込むことによって、形成されている。
【００１９】
本発明の他の好ましい実施態様においては、前記蓄積性蛍光体シートの前記支持体の表面上に、前記複数の輝尽性蛍光体層領域が形成されている。
【００２０】
本発明の好ましい実施態様においては、前記蓄積性蛍光体シートの前記複数の輝尽性蛍光体層領域が、前記支持体に、ドット状に形成されている。
【００２１】
本発明の好ましい実施態様においては、前記蓄積性蛍光体シートの前記複数の輝尽性蛍光体層領域のそれぞれが、略円形に形成されている。
【００２２】
本発明の好ましい実施態様においては、前記蓄積性蛍光体シートの前記支持体に、複数の付加的輝尽性蛍光体層領域が、ドット状に形成されている。
【００２３】
本発明のさらに好ましい実施態様においては、前記複数の輝尽性蛍光体領域の少なくとも一部の間の前記蓄積性蛍光体シートの前記支持体に、複数の付加的輝尽性蛍光体層領域が、ドット状に形成されている。
【００２４】
バックグラウンドノイズは、蓄積性蛍光体シートの表面上の位置、すなわち、複数の輝尽性蛍光体領域のそれぞれによって異なるが、本発明の好ましい実施態様によれば、複数の輝尽性蛍光体領域の少なくとも一部の間の支持体に、複数の付加的輝尽性蛍光体層領域が、ドット状に形成されているから、蓄積性蛍光体シートの表面上の位置によって、バックグラウンドノイズが変動しても、精度よく、バックグラウンドノイズを除去した生化学解析用データを生成することが可能になる。
【００２５】
本発明の別の好ましい実施態様においては、前記蓄積性蛍光体シートの前記少なくとも１つの付加的輝尽性蛍光体層領域が、前記支持体に、ストライプ状に形成されている。
【００２６】
本発明のさらに好ましい実施態様においては、前記蓄積性蛍光体シートの前記複数の輝尽性蛍光体領域の少なくとも一部の間の前記支持体に、複数の付加的輝尽性蛍光体層領域が、ストライプ状に形成されている。
【００２７】
バックグラウンドノイズは、蓄積性蛍光体シートの表面上の位置、すなわち、複数の輝尽性蛍光体領域のそれぞれによって異なるが、本発明のさらに好ましい実施態様によれば、複数の輝尽性蛍光体領域の少なくとも一部の間の支持体に、複数の付加的輝尽性蛍光体層領域が、ストライプ状に形成されているから、蓄積性蛍光体シートの表面上の位置によって、バックグラウンドノイズが変動しても、精度よく、バックグラウンドノイズを除去した生化学解析用のディジタルデータを生成することが可能になる。
【００２８】
本発明の好ましい実施態様においては、前記蓄積性蛍光体シートの前記付加的輝尽性蛍光体層領域が、前記支持体に、略円形に形成されている。
【００２９】
本発明の好ましい実施態様においては、前記蓄積性蛍光体シートの前記付加的輝尽性蛍光体層領域が、その面積が前記複数の輝尽性蛍光体層領域のそれぞれの面積よりも小さくなるように、前記支持体に形成されている。
【００３０】
本発明の好ましい実施態様においては、前記蓄積性蛍光体シートの前記支持体が、放射線を減衰させる材料によって形成されている。
【００３１】
本発明の好ましい実施態様によれば、生体由来の物質と特異的に結合可能で、かつ、塩基配列や塩基の長さ、組成などが既知の特異的結合物質を含む複数のスポット状領域を、メンブレンフィルタなどの担体表面に、高密度に形成し、複数のスポット状領域に含まれた特異的結合物質に、放射性標識物質によって標識された生体由来の物質を特異的に結合させて、複数のスポット状領域を選択的に標識した場合においても、担体に形成された複数のスポット状領域と同じパターンによって、複数の輝尽性蛍光体層領域を、支持体に形成することにより、担体と蓄積性蛍光体シートを重ね合わせて、複数のスポット状領域に選択的に含まれた放射性標識物質によって、複数の輝尽性蛍光体層領域を露光する際に、各スポット状領域に含まれている放射性標識物質から放出された電子線（β線）が、そのスポット状領域に含まれた放射性標識物質から放出された電子線（β線）によって露光されるべき輝尽性蛍光体層領域以外の輝尽性蛍光体層領域に入射することを効果的に防止することができ、したがって、露光された複数の輝尽性蛍光体層領域を励起光によって走査し、複数の輝尽性蛍光体層領域から放出された輝尽光を光電的に検出することによって、高い分解能で、定量性に優れた生化学解析用のデータを生成することが可能になる。
【００３２】
本発明の好ましい実施態様においては、前記蓄積性蛍光体シートの前記支持体が、隣り合う輝尽性蛍光体層領域の間の距離に等しい距離だけ、放射線が前記支持体中を透過したときに、放射線のエネルギーを、１／５以下に減衰させる性質を有する材料によって形成されている。
【００３３】
本発明のさらに好ましい実施態様においては、前記蓄積性蛍光体シートの前記支持体が、隣り合う輝尽性蛍光体層領域の間の距離に等しい距離だけ、放射線が前記支持体中を透過したときに、放射線のエネルギーを、１／１０以下に減衰させる性質を有する材料によって形成されている。
【００３４】
本発明のさらに好ましい実施態様においては、前記蓄積性蛍光体シートの前記支持体が、隣り合う輝尽性蛍光体層領域の間の距離に等しい距離だけ、放射線が前記支持体中を透過したときに、放射線のエネルギーを、１／５０以下に減衰させる性質を有する材料によって形成されている。
【００３５】
本発明のさらに好ましい実施態様においては、前記蓄積性蛍光体シートの前記支持体が、隣り合う輝尽性蛍光体層領域の間の距離に等しい距離だけ、放射線が前記支持体中を透過したときに、放射線のエネルギーを、１／１００以下に減衰させる性質を有する材料によって形成されている。
【００３６】
本発明のさらに好ましい実施態様においては、前記蓄積性蛍光体シートの前記支持体が、隣り合う輝尽性蛍光体層領域の間の距離に等しい距離だけ、放射線が前記支持体中を透過したときに、放射線のエネルギーを、１／５００以下に減衰させる性質を有する材料によって形成されている。
【００３７】
本発明のさらに好ましい実施態様においては、前記蓄積性蛍光体シートの前記支持体が、隣り合う輝尽性蛍光体層領域の間の距離に等しい距離だけ、放射線が前記支持体中を透過したときに、放射線のエネルギーを、１／１０００以下に減衰させる性質を有する材料によって形成されている。
【００３８】
本発明において、蓄積性蛍光体シートの支持体を形成するための材料としては、放射線エネルギーを減衰させる性質を有するものが好ましいが、とくに限定されるものではなく、無機化合物材料、有機化合物材料のいずれをも使用することができ、金属材料、セラミック材料またはプラスチック材料が、とくに、好ましく使用される。
【００３９】
本発明において、蓄積性蛍光体シートの支持体を形成するために好ましく使用可能で、放射線エネルギーを減衰させることのできる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。
【００４０】
本発明において、蓄積性蛍光体シートの支持体を形成するために使用可能で、放射線エネルギーを減衰させることのできる有機化合物材料としては、高分子化合物が好ましく用いられ、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【００４１】
一般に、比重が大きいほど、放射線の減衰能が高くなるので、蓄積性蛍光体シートの支持体は、比重１．０ｇ／ｃｍ３以上の化合物材料または複合材料によって形成されることが好ましく、比重が１．５ｇ／ｃｍ３以上、２３ｇ／ｃｍ３以下の化合物材料または複合材料によって形成されることが、とくに好ましい。
【００４２】
本発明の好ましい実施態様においては、前記蓄積性蛍光体シートの前記支持体に、１０以上の前記輝尽性蛍光体層領域が形成されている。
【００４３】
本発明のさらに好ましい実施態様においては、前記蓄積性蛍光体シートの前記支持体に、５０以上の前記輝尽性蛍光体層領域が形成されている。
【００４４】
本発明のさらに好ましい実施態様においては、前記蓄積性蛍光体シートの前記支持体に、１００以上の前記輝尽性蛍光体層領域が形成されている。
【００４５】
本発明のさらに好ましい実施態様においては、前記蓄積性蛍光体シートの前記支持体に、５００以上の前記輝尽性蛍光体層領域が形成されている。
【００４６】
本発明のさらに好ましい実施態様においては、前記蓄積性蛍光体シートの前記支持体に、１０００以上の前記輝尽性蛍光体層領域が形成されている。
【００４７】
本発明のさらに好ましい実施態様においては、前記蓄積性蛍光体シートの前記支持体に、５０００以上の前記輝尽性蛍光体層領域が形成されている。
【００４８】
本発明のさらに好ましい実施態様においては、前記蓄積性蛍光体シートの前記支持体に、１００００以上の前記輝尽性蛍光体層領域が形成されている。
【００４９】
本発明のさらに好ましい実施態様においては、前記蓄積性蛍光体シートの前記支持体に、５００００以上の前記輝尽性蛍光体層領域が形成されている。
【００５０】
本発明のさらに好ましい実施態様においては、前記蓄積性蛍光体シートの前記支持体に、１０００００以上の前記輝尽性蛍光体層領域が形成されている。
【００５１】
本発明の好ましい実施態様においては、前記複数の輝尽性蛍光体層領域が、それぞれ、前記蓄積性蛍光体シートの前記支持体に、５平方ミリメートル未満のサイズに形成されている。
【００５２】
本発明のさらに好ましい実施態様においては、前記複数の輝尽性蛍光体層領域が、それぞれ、前記蓄積性蛍光体シートの前記支持体に、１平方ミリメートル未満のサイズに形成されている。
【００５３】
本発明のさらに好ましい実施態様においては、前記複数の輝尽性蛍光体層領域が、それぞれ、前記蓄積性蛍光体シートの前記支持体に、０．５平方ミリメートル未満のサイズに形成されている。
【００５４】
本発明のさらに好ましい実施態様においては、前記複数の輝尽性蛍光体層領域が、それぞれ、前記蓄積性蛍光体シートの前記支持体に、０．１平方ミリメートル未満のサイズに形成されている。
【００５５】
本発明のさらに好ましい実施態様においては、前記複数の輝尽性蛍光体層領域が、それぞれ、前記蓄積性蛍光体シートの前記支持体に、０．０５平方ミリメートル未満のサイズに形成されている。
【００５６】
本発明のさらに好ましい実施態様においては、前記複数の輝尽性蛍光体層領域が、それぞれ、前記蓄積性蛍光体シートの前記支持体に、０．０１平方ミリメートル未満のサイズに形成されている。
【００５７】
本発明において、蓄積性蛍光体シートに形成される輝尽性蛍光体層領域の密度は、支持体の材料の種類、放射性標識物質から放出される電子線の種類などによって決定される。
【００５８】
本発明の好ましい実施態様においては、前記蓄積性蛍光体シートに、前記複数の輝尽性蛍光体層領域が、１０個／平方センチメートル以上の密度で、形成されている。
【００５９】
本発明のさらに好ましい実施態様においては、前記蓄積性蛍光体シートに、前記複数の輝尽性蛍光体層領域が、５０個／平方センチメートル以上の密度で、形成されている。
【００６０】
本発明のさらに好ましい実施態様においては、前記蓄積性蛍光体シートに、前記複数の輝尽性蛍光体層領域が、１００個／平方センチメートル以上の密度で、形成されている。
【００６１】
本発明のさらに好ましい実施態様においては、前記蓄積性蛍光体シートに、前記複数の輝尽性蛍光体層領域が、５００個／平方センチメートル以上の密度で、形成されている。
【００６２】
本発明のさらに好ましい実施態様においては、前記蓄積性蛍光体シートに、前記複数の輝尽性蛍光体層領域が、１０００個／平方センチメートル以上の密度で、形成されている。
【００６３】
本発明のさらに好ましい実施態様においては、前記蓄積性蛍光体シートに、前記複数の輝尽性蛍光体層領域が、５０００個／平方センチメートル以上の密度で、形成されている。
【００６４】
本発明のさらに好ましい実施態様においては、前記蓄積性蛍光体シートに、前記複数の輝尽性蛍光体層領域が、１００００個／平方センチメートル以上の密度で、形成されている。
【００６５】
本発明の好ましい実施態様においては、前記蓄積性蛍光体シートの前記支持体に、前記複数の輝尽性蛍光体層領域が、規則的なパターンで形成されている。
【００６６】
本発明の好ましい実施態様によれば、蓄積性蛍光体シートの支持体に、複数の輝尽性蛍光体層領域が、規則的なパターンで、形成されているから、メンブレンフィルタなどの担体表面に、同じ規則的なパターンで、特異的結合物質を含むスポット状領域を形成することによって、各スポット状領域に含まれている放射性標識物質によって、対応する輝尽性蛍光体層領域のみを露光することが可能になり、高い分解能で、定量性に優れた生化学解析用のデータを生成することが可能になる。
【００６７】
本発明において、輝尽性蛍光体層に含まれる輝尽性蛍光体としては、放射線のエネルギーを蓄積可能で、電磁波によって励起され、蓄積している放射線のエネルギーを光の形で放出可能なものであればよく、とくに限定されるものではないが、可視光波長域の光により励起可能であるものが好ましい。具体的には、たとえば、米国特許第４，２３９，９６８号に開示されたアルカリ土類金属弗化ハロゲン化物系蛍光体（Ｂａ１−ｘＭ２＋ｘ）ＦＸ：ｙＡ（ここに、Ｍ２＋はＭｇ、Ｃａ、Ｓｒ、ＺｎおよびＣｄからなる群より選ばれる少なくとも一種のアルカリ土類金属元素、ＸはＣｌ、ＢｒおよびＩからなる群より選ばれる少なくとも一種のハロゲン、ＡはＥｕ、Ｔｂ、Ｃｅ、Ｔｍ、Ｄｙ、Ｐｒ、Ｈｏ、Ｎｄ、ＹｂおよびＥｒからなる群より選ばれる少なくとも一種の３価金属元素、ｘは０≦ｘ≦０．６、ｙは０≦ｙ≦０．２である。）、特開平２−２７６９９７号公報に開示されたアルカリ土類金属弗化ハロゲン化物系蛍光体ＳｒＦＸ：Ｚ（ここに、ＸはＣｌ、ＢｒおよびＩからなる群より選ばれる少なくとも一種のハロゲン、ＺはＥｕまたはＣｅである。）、特開昭５９−５６４７９号公報に開示されたユーロピウム付活複合ハロゲン物系蛍光体ＢａＦＸ・ｘＮａＸ’：ａＥｕ２＋（ここに、ＸおよびＸ’はいずれも、Ｃｌ、ＢｒおよびＩからなる群より選ばれる少なくとも一種のハロゲンであり、ｘは０＜ｘ≦２、ａは０＜ａ≦０．２である。）、特開昭５８−６９２８１号公報に開示されたセリウム付活三価金属オキシハロゲン物系蛍光体であるＭＯＸ：ｘＣｅ（ここに、ＭはＰｒ、Ｎｄ、Ｐｍ、Ｓｍ、Ｅｕ、Ｔｂ、Ｄｙ、Ｈｏ、Ｅｒ、Ｔｍ、ＹｂおよびＢｉからなる群より選ばれる少なくとも一種の三価金属元素、ＸはＢｒおよびＩのうちの一方あるいは双方、ｘは、０＜ｘ＜０．１である。）、米国特許第４，５３９，１３７号に開示されたセリウム付活希土類オキシハロゲン物系蛍光体であるＬｎＯＸ：ｘＣｅ（ここに、ＬｎはＹ、Ｌａ、ＧｄおよびＬｕからなる群より選ばれる少なくとも一種の希土類元素、ＸはＣｌ、ＢｒおよびＩからなる群より選ばれる少なくとも一種のハロゲン、ｘは、０＜ｘ≦０．１である。）および米国特許第４，９６２，０４７号に開示されたユーロピウム付活複合ハロゲン物系蛍光体ＭIIＦＸ・ａＭＩＸ’・ｂＭ’IIＸ''２・ｃＭIII Ｘ'''3 ・ｘＡ：ｙＥｕ２＋（ここに、ＭIIはＢａ、ＳｒおよびＣａからなる群より選ばれる少なくとも一種のアルカリ土類金属元素、ＭＩ はＬｉ、Ｎａ、Ｋ、ＲｂおよびＣｓからなる群より選ばれる少なくとも一種のアルカリ金属元素、Ｍ' IIはＢｅおよびＭｇからなる群より選ばれる少なくとも一種の二価金属元素、ＭIIIはＡｌ、Ｇａ、ＩｎおよびＴｌからなる群より選ばれる少なくとも一種の三価金属元素、Ａは少なくとも一種の金属酸化物、ＸはＣｌ、ＢｒおよびＩからなる群より選ばれる少なくとも一種のハロゲン、Ｘ’、Ｘ''およびＸ''' はＦ、Ｃｌ、ＢｒおよびＩからなる群より選ばれる少なくとも一種のハロゲンであり、ａは、０≦ａ≦２、ｂは、０≦ｂ≦１０−２、ｃは、０≦ｃ≦１０−２で、かつ、ａ＋ｂ＋ｃ≧１０−２であり、ｘは、０＜ｘ≦０．５で、ｙは、０＜ｙ≦０．２である。）が、好ましく使用し得る。
【００６８】
【発明の実施の形態】
以下、添付図面に基づいて、本発明の好ましい実施態様につき、詳細に説明を加える。
【００６９】
図１は、生化学解析用ユニットの略斜視図である。
【００７０】
図１に示されるように、生化学解析用ユニット１は、ナイロン６によって形成された吸着性基板２を備え、吸着性基板２の表面には、特異的結合物質、たとえば、ｃＤＮＡを含む溶液が、一定間隔で、規則的に滴下され、特異的結合物質を含む多数の略円形のスポット状領域３が、吸着性基板２に形成されている。
【００７１】
図１には正確に示されていないが、本実施態様においては、約０．０７平方ミリメートルのサイズを有する略円形のスポット状領域３が、１２０列×１６０行のマトリックス状に、吸着性基板２に、規則的に形成され、したがって、合計１９２００のスポット状領域３が形成されている。
【００７２】
図２は、スポッティング装置の略正面図である。
【００７３】
生化学解析にあたっては、図２に示されるように、生化学解析用ユニット１の吸着性基板２に、たとえば、特異的結合物質として、塩基配列が既知の互いに異なった複数のｃＤＮＡを含む溶液が、スポッティング装置５を使用して、滴下され、多数のスポット状領域３が形成される。
【００７４】
図２に示されるように、スポッティング装置５は、特異的結合物質の溶液を、生化学解析用ユニット１に向けて、噴射するインジェクタ６とＣＣＤカメラ７を備え、ＣＣＤカメラ７によって、インジェクタ６の先端部と、ｃＤＮＡなどの特異的結合物質を含む溶液を滴下すべき吸着性基板２の領域を観察しながら、インジェクタ６の先端部と、特異的結合物質の溶液を滴下すべきの吸着性基板２の領域の中心とが合致したときに、インジェクタ６から、特異的結合物質が滴下されるように構成され、生化学解析用ユニット１の吸着性基板２に、特異的結合物質の溶液を、正確に滴下して、所望のように、多数のスポット状領域３を形成することができるように保証されている。
【００７５】
図３は、ハイブリダイゼーション反応容器の略縦断面図である。
【００７６】
図３に示されるように、ハイブリダイゼーション反応容器８は矩形状断面を有し、内部に、標識物質によって標識されたプローブである生体由来の物質を含むハイブリダイゼーション反応溶液９が収容されている。
【００７７】
本実施態様においては、放射性標識物質によって標識された生体由来の物質を含むハイブリダイゼーション反応溶液９が調製され、ハイブリダイゼーション反応容器８内に収容されている。
【００７８】
ハイブリダイゼーションにあたって、吸着性基板２の表面に、ｃＤＮＡなどの特異的結合物質が規則的に滴下されて、多数のスポット状領域３が形成された生化学解析用ユニット１が、ハイブリダイゼーション反応容器８内に挿入される。
【００７９】
その結果、生化学解析用ユニット１の吸着性基板２に形成されている多数のスポット状領域３に含まれているｃＤＮＡなどの特異的結合物質に、放射性標識物質により標識され、ハイブリダイゼーション反応溶液に含まれた生体由来の物質が、選択的に、ハイブリダイズされる。
【００８０】
こうして、放射性標識物質の放射線データが、生化学解析用ユニット１の多数のスポット状領域３に記録される。
【００８１】
生化学解析用ユニット１の多数のスポット状領域３に記録された放射性標識物質の放射線データは、蓄積性蛍光体シートの輝尽性蛍光体層に転写され、後述するスキャナによって読み取られて、生化学解析用データが生成される。
【００８２】
図４は、本発明の好ましい実施態様にかかる蓄積性蛍光体シートの略斜視図である。
【００８３】
図４に示されるように、本実施態様にかかる蓄積性蛍光体シート１０は、ステンレス鋼によって形成され、多数の凹部１３および凹部１４が規則的に形成された支持体１１と、支持体１１に形成された多数の凹部１３に、輝尽性蛍光体が埋め込まれて形成された多数の輝尽性蛍光体層領域１２と、多数の輝尽性蛍光体層領域１２の間の支持体１１に形成された多数の凹部１４に、輝尽性蛍光体が埋め込まれて形成された多数の付加的輝尽性蛍光体層領域１５を備えている。
【００８４】
本実施態様においては、多数の付加的輝尽性蛍光体層領域１５のそれぞれを形成するための凹部１４の面積は、多数の輝尽性蛍光体層領域１２のそれぞれを形成するための凹部１３の面積よりも小さく、したがって、多数の付加的輝尽性蛍光体層領域１５は、それぞれ、多数の輝尽性蛍光体層領域１２よりも面積が小さくなるように、形成されている。
【００８５】
また、本実施態様においては、輝尽性蛍光体層領域１４の表面が、支持体１１の表面に一致するように、輝尽性蛍光体が多数の凹部１３内に埋め込まれ、付加的輝尽性蛍光体層領域１５の表面が、支持体１１の表面に一致するように、輝尽性蛍光体が多数の凹部１４内に埋め込まれている。
【００８６】
ここに、多数の凹部１３は、生化学解析用ユニット１の吸着性基板２に形成された多数のスポット状領域３と、同一の規則的パターンで、かつ、多数のスポット状領域３と等しいサイズで、略円形状に、支持体１１に形成されている。
【００８７】
したがって、図４には正確に示されていないが、約０．０７平方ミリメートルのサイズを有する略円形の凹部１３が、生化学解析用ユニット１の吸着性基板２に形成された多数のスポット状領域３と同一の規則的パターンで、１２０列×１６０行のマトリックス状に、支持体１１に形成され、合計１９２００の凹部１３が、蓄積性蛍光体シート１０の支持体１１に、ドット状に形成されている。
【００８８】
その結果、蓄積性蛍光体シート１０の支持体１１に形成された各輝尽性蛍光体層領域１２が、生化学解析用ユニット１の基板２に形成された対応するスポット状領域３とのみ、対向するように、蓄積性蛍光体シート１０を生化学解析用ユニット１と重ね合わせて、生化学解析用ユニット１のスポット状領域３に含まれている放射性標識物質によって、蓄積性蛍光体シート１０の対向する輝尽性蛍光体領域１２を露光することができる。
【００８９】
図５は、生化学解析用ユニット１の吸着性基板２に形成された多数のスポット状領域３内に含まれた放射性標識物質によって、蓄積性蛍光体シート１０の支持体１１に形成された多数の輝尽性蛍光体層領域１２を露光する方法を示す略断面図である。
【００９０】
図５に示されるように、生化学解析用ユニット１の吸着性基板２に形成された多数のスポット状領域３内に含まれた放射性標識物質によって、蓄積性蛍光体シート１０の支持体１１に形成された多数の輝尽性蛍光体層領域１２を露光するにあたって、蓄積性蛍光体シート１０の支持体１１に形成された多数の凹部１３内に、輝尽性蛍光体が埋め込まれて形成された多数の輝尽性蛍光体層領域１２が、それぞれ、生化学解析用ユニット１の吸着性基板２に形成された多数のスポット状領域３に対向するように、蓄積性蛍光体シート１０が生化学解析用ユニット１に重ね合わされる。
【００９１】
露光に際し、生化学解析用ユニット１の多数のスポット状領域３に含まれた放射性標識物質から電子線（β線）が発せられるが、蓄積性蛍光体シート１０の多数の輝尽性蛍光体層領域１２は、生化学解析用ユニット１の吸着性基板２に形成された多数のスポット状領域３と、同一の規則的パターンで、支持体１１に形成され、それぞれ、生化学解析用ユニット１の基板２に形成された対応するスポット状領域３と対向するように、蓄積性蛍光体シート１０が生化学解析用ユニット１に重ね合わされているから、生化学解析用ユニット１の吸着性基板２に形成されたスポット状領域３に含まれている放射性標識物質から放出される電子線（β線）は、それぞれ、対応する輝尽性蛍光体層領域１２にのみ入射し、支持体１１が放射線を実質的に透過しないステンレス鋼によって形成されているため、電子線（β線）が、蓄積性蛍光体シート１０の支持体１１内で散乱することも防止され、したがって、生化学解析用ユニット１の基板２に形成された各スポット状領域３に含まれている放射性標識物質によって、対応する輝尽性蛍光体層領域１２のみを選択的に露光することが可能になり、その一方で、蓄積性蛍光体シート１０の多数の付加的輝尽性蛍光体層領域１５に、生化学解析用ユニット１の基板２に形成された多数のスポット状領域３に含まれている放射性標識物質から放出された電子線（β線）が入射し、多数の付加的輝尽性蛍光体層領域１５が、生化学解析用ユニット１の基板２に形成された各スポット状領域３に含まれている放射性標識物質によって、露光されることを効果的に防止することができる。
【００９２】
しかしながら、スポット状領域３が形成されていない生化学解析用ユニット１の表面に、ハイブリダイゼーションに際して、付着した放射性標識物質を完全に洗浄することはきわめて困難であるので、スポット状領域３が形成されていない生化学解析用ユニット１の表面には、ハイブリダイゼーションに際して、付着した放射性標識物質が、洗浄後も残存し、残存した放射性標識物質から放出された電子線（β線）が、蓄積性蛍光体シート１０の支持体１１に形成された多数の輝尽性蛍光体層領域１２に入射することは避け難く、また、環境放射線も、蓄積性蛍光体シート１０の支持体１１に形成された多数の輝尽性蛍光体層領域１２に入射するため、蓄積性蛍光体シート１０の支持体１１に形成され、生化学解析用ユニット１の基板２に形成された多数のスポット状領域３に含まれている放射性標識物質によって露光された多数の輝尽性蛍光体層領域１２を励起光によって走査し、多数の輝尽性蛍光体層領域１２から放出された輝尽光を光電的に検出することにより生成した生化学解析用のデータには、ハイブリダイゼーションに際して、スポット状領域３が形成されていない生化学解析用ユニット１の表面に付着し、洗浄後も残存している放射性標識物質から放出される電子線（β線）や、環境放射線などが、蓄積性蛍光体シート１０の支持体１１に形成された多数の輝尽性蛍光体層領域１２に入射することに起因するバックグラウンドノイズが不可避的に含まれている。
【００９３】
一方、蓄積性蛍光体シート１０の多数の付加的輝尽性蛍光体層領域１５には、生化学解析用ユニット１の基板２に形成された多数のスポット状領域３に含まれている放射性標識物質から放出された電子線（β線）は入射せず、生化学解析用ユニット１の基板２に形成された多数のスポット状領域３に含まれている放射性標識物質から放出された電子線（β線）によって、蓄積性蛍光体シート１０の多数の付加的輝尽性蛍光体層領域１５が露光されることが防止されているから、蓄積性蛍光体シート１０の多数の付加的輝尽性蛍光体層領域１５には、もっぱら、ハイブリダイゼーションに際して、スポット状領域３が形成されていない生化学解析用ユニット１の表面に付着し、洗浄後も残存している放射性標識物質から放出される電子線（β線）や、環境放射線などが入射し、蓄積性蛍光体シート１０の多数の付加的輝尽性蛍光体層領域１５は、ハイブリダイゼーションに際して、スポット状領域３が形成されていない生化学解析用ユニット１の表面に付着し、洗浄後も残存している放射性標識物質から放出される電子線（β線）や、環境放射線などによってのみ露光される。したがって、蓄積性蛍光体シート１０の多数の付加的輝尽性蛍光体層領域１５を励起光によって走査し、多数の付加的輝尽性蛍光体層１５から放出された輝尽光を光電的に検出することにより生成したデータは、バックグラウンドノイズに対応するものとなる。
【００９４】
こうして、蓄積性蛍光体シート１０の支持体１１に形成された多数の輝尽性蛍光体層領域１２に、放射性標識物質の放射線データが記録される。
【００９５】
図６は、蓄積性蛍光体シート１０の支持体１１に形成された多数の輝尽性蛍光体層領域１２に記録された放射性標識物質の放射線データを読み取って、ディジタルデータを生成する本発明の好ましい実施態様にかかるスキャナの略斜視図であり、図７は、スキャナのフォトマルチプライア近傍の詳細を示す略斜視図である。
【００９６】
図６に示されるスキャナは、蓄積性蛍光体シート１０の支持体１１に形成された多数の輝尽性蛍光体層領域１２に記録された放射性標識物質の放射線データおよびゲル支持体あるいは転写支持体などに記録された蛍光色素などの蛍光物質によって標識された試料の生化学解析用のデータを読み取り可能に構成されており、６４０ｎｍの波長のレーザ光２４を発する第１のレーザ励起光源２１と、５３２ｎｍの波長のレーザ光２４を発する第２のレーザ励起光源２２と、４７３ｎｍの波長のレーザ光２４を発する第３のレーザ励起光源２３とを備えている。
【００９７】
本実施態様においては、第１のレーザ励起光源２１は、半導体レーザ光源によって構成され、第２のレーザ励起光源２２および第３のレーザ励起光源２３は、第二高調波生成（Second Harmonic Generation)素子によって構成されている。
【００９８】
第１のレーザ励起光源２１により発生されたレーザ光２４は、コリメータレンズ２５によって、平行光とされた後、ミラー２６によって反射される。第１のレーザ励起光源２１から発せられ、ミラー２６によって反射されたレーザ光２４の光路には、６４０ｎｍのレーザ光４を透過し、５３２ｎｍの波長の光を反射する第１のダイクロイックミラー２７および５３２ｎｍ以上の波長の光を透過し、４７３ｎｍの波長の光を反射する第２のダイクロイックミラー２８が設けられており、第１のレーザ励起光源２１により発生されたレーザ光２４は、第１のダイクロイックミラー２７および第２のダイクロイックミラー２８を透過して、ミラー２９に入射する。
【００９９】
他方、第２のレーザ励起光源２２より発生されたレーザ光２４は、コリメータレンズ３０により、平行光とされた後、第１のダイクロイックミラー２７によって反射されて、その向きが９０度変えられて、第２のダイクロイックミラー２８を透過し、ミラー２９に入射する。
【０１００】
また、第３のレーザ励起光源２３から発生されたレーザ光２４は、コリメータレンズ３１によって、平行光とされた後、第２のダイクロイックミラー２８により反射されて、その向きが９０度変えられた後、ミラー２９に入射する。
【０１０１】
ミラー２９に入射したレーザ光２４は、ミラー２９によって反射され、さらに、ミラー３２に入射して、反射される。
【０１０２】
ミラー３２によって反射されたレーザ光２４の光路には、中央部に穴３３が形成された凹面ミラーによって形成された穴開きミラー３４が配置されており、ミラー３２によって反射されたレーザ光２４は、穴開きミラー３４の穴３３を通過して、凹面ミラー３８に入射する。
【０１０３】
凹面ミラー３８に入射したレーザ光２４は、凹面ミラー３８によって反射されて、光学ヘッド３５に入射する。
【０１０４】
光学ヘッド３５は、ミラー３６と、非球面レンズ３７を備えており、光学ヘッド３５に入射したレーザ光２４は、ミラー３６によって反射されて、非球面レンズ３７によって、ステージ４０のガラス板４１上に載置された蓄積性蛍光体シート１０あるいはゲル支持体や転写支持体に入射する。
【０１０５】
蓄積性蛍光体シート１０の支持体１１に形成された輝尽性蛍光体層領域１２に、レーザ光２４が入射すると、輝尽性蛍光体層領域１２に含まれている輝尽性蛍光体が励起されて、輝尽光４５が発せられ、ゲル支持体や転写支持体に、レーザ光２４が入射すると、蛍光色素などの蛍光物質が励起されて、蛍光４５が発せられる。
【０１０６】
蓄積性蛍光体シート１０の支持体１１に形成された輝尽性蛍光体層領域１２から放出された輝尽光４５あるいはゲル支持体や転写支持体から放出された蛍光４５は、光学ヘッド３５に設けられた非球面レンズ３７によって、ミラー３６に集光され、ミラー３６によって、レーザ光２４の光路と同じ側に反射され、平行な光とされて、凹面ミラー３８に入射する。
【０１０７】
凹面ミラー３８に入射した輝尽光４５あるいは蛍光４５は、凹面ミラー３８によって反射されて、穴開きミラー３４に入射する。
【０１０８】
穴開きミラー３４に入射した輝尽光４５あるいは蛍光４５は、図７に示されるように、凹面ミラーによって形成された穴開きミラー３４によって、下方に反射されて、フィルタユニット４８に入射し、所定の波長の光がカットされて、フォトマルチプライア５０に入射し、光電的に検出される。
【０１０９】
図７に示されるように、フィルタユニット４８は、４つのフィルタ部材５１ａ、５１ｂ、５１ｃ、５１ｄを備えており、フィルタユニット４８は、モータ（図示せず）によって、図７において、左右方向に移動可能に構成されている。
【０１１０】
図８は、図７のＡ−Ａ線に沿った略断面図である。
【０１１１】
図８に示されるように、フィルタ部材５１ａはフィルタ５２ａを備え、フィルタ５２ａは、第１のレーザ励起光源２１を用いて、ゲル支持体や転写支持体に含まれている蛍光色素などの蛍光物質を励起して、蛍光を読み取るときに使用されるフィルタ部材であり、６４０ｎｍの波長の光をカットし、６４０ｎｍよりも波長の長い光を透過する性質を有している。
【０１１２】
図９は、図７のＢ−Ｂ線に沿った断面図である。
【０１１３】
図９に示されるように、フィルタ部材５１ｂはフィルタ５２ｂを備え、フィルタ５２ｂは、第２のレーザ励起光源２２を用いて、ゲル支持体や転写支持体に含まれている蛍光色素などの蛍光物質を励起し、蛍光を読み取るときに使用されるフィルタ部材であり、５３２ｎｍの波長の光をカットし、５３２ｎｍよりも波長の長い光を透過する性質を有している。
【０１１４】
図１０は、図７のＣ−Ｃ線に沿った断面図である。
【０１１５】
図１０に示されるように、フィルタ部材５１ｃはフィルタ５２ｃを備え、フィルタ５２ｃは、第３のレーザ励起光源２３を用いて、ゲル支持体や転写支持体に含まれている蛍光色素などの蛍光物質を励起し、蛍光を読み取るときに使用されるフィルタ部材であり、４７３ｎｍの波長の光をカットし、４７３ｎｍよりも波長の長い光を透過する性質を有している。
【０１１６】
図１１は、図７のＤ−Ｄ線に沿った断面図である。
【０１１７】
図１１に示されるように、フィルタ部材５１ｄはフィルタ５２ｄを備え、フィルタ５２ｄは、第１のレーザ励起光源２１を用いて、蓄積性蛍光体シート１０に形成された多数の輝尽性蛍光体層領域１２を励起し、輝尽性蛍光体層領域１２から発せられた輝尽光を読み取るときに使用されるフィルタであり、輝尽性蛍光体層領域１２から放出される輝尽光の波長域の光のみを透過し、６４０ｎｍの波長の光をカットする性質を有している。
【０１１８】
したがって、使用すべきレーザ励起光源に応じて、フィルタ部材５１ａ、５１ｂ、５１ｃ、５１ｄを選択的にフォトマルチプライア５０の前面に位置させることによって、フォトマルチプライア５０は、検出すべき光のみを光電的に検出することができる。
【０１１９】
フォトマルチプライア５０によって光電的に検出されて、生成されたアナログデータは、Ａ／Ｄ変換器５３により、信号変動幅に適したスケールファクタで、ディジタルデータに変換され、ラインバッファ５４に入力される。
【０１２０】
ラインバッファ５４は、主走査線１ライン分のディジタルデータを一時的に記憶するものであり、以上のようにして、主走査線１ライン分のディジタルデータが記憶されると、そのディジタルデータを、ラインバッファ５４の容量よりもより大きな容量を有する送信バッファ５５に出力し、送信バッファ５５は、所定の容量のディジタルデータが記憶されると、ディジタルデータを、データ処理装置５６に出力するように構成されている。
【０１２１】
図６には図示されていないが、光学ヘッド３５は、走査機構によって、図６において、矢印Ｘで示された主走査方向および矢印Ｙで示された副走査方向に移動可能に構成され、蓄積性蛍光体シート１０の支持体１１に形成されたすべての輝尽性蛍光体層領域１２またはゲル支持体もしくは転写支持体の全面が、レーザ光２４によって走査されるように構成されている。
【０１２２】
図１２は、光学ヘッド３５の走査機構の略平面図である。
【０１２３】
図１２においては、簡易化のため、光学ヘッド３５を除く光学系ならびにレーザ光２４および輝尽光４５あるいは蛍光４５の光路は省略されている。
【０１２４】
図１２に示されるように、光学ヘッド３５を走査する走査機構は、基板６０を備え、基板６０上には、副走査パルスモータ６１と一対のレール６２、６２とが固定され、基板６０上には、さらに、図１２において、矢印Ｙで示された副走査方向に、移動可能な基板６３とが設けられている。
【０１２５】
移動可能な基板６３には、ねじが切られた穴（図示せず）が形成されており、この穴内には、副走査パルスモータ６１によって回転されるねじが切られたロッド６４が係合している。
【０１２６】
移動可能な基板６３上には、主走査パルスモータ６５が設けられ、主走査パルスモータ６５は、エンドレスベルト６６を駆動可能に構成されている。光学ヘッド３５は、エンドレスベルト６６に固定されており、主走査パルスモータ６５によって、エンドレスベルト６６が駆動されると、光学ヘッド３５が、図１２において、矢印Ｘで示された主走査方向に移動されるように構成されている。
【０１２７】
図１２において、６７は、光学ヘッド３５の主走査方向における位置を検出するリニアエンコーダであり、６８はリニアエンコーダ６７のスリットである。
【０１２８】
したがって、主走査パルスモータ６５によって、エンドレスベルト６６が、主走査方向に駆動され、副走査パルスモータ６１によって、移動可能な基板６３が、副走査方向に間欠的に移動されることによって、光学ヘッド３５は、図１２において、矢印Ｘで示された主走査方向および矢印Ｙで示された副走査方向に移動され、レーザ光２４によって、蓄積性蛍光体シート１０の支持体１１に形成されたすべての輝尽性蛍光体層領域１２またはゲル支持体もしくは転写支持体の全面が走査される。
【０１２９】
図１３は、図６に示されたスキャナの制御系、入力系および駆動系を示すブロックダイアグラムである。
【０１３０】
図１３に示されるように、スキャナの制御系は、スキャナ全体を制御するコントロールユニット７０を備えており、また、スキャナの入力系は、オペレータによって操作され、種々の指示信号を入力可能なキーボード７１を備えている。
【０１３１】
図１３に示されるように、スキャナの駆動系は、光学ヘッド３５を主走査方向に移動させる主走査パルスモータ６５と、光学ヘッド３５を副走査方向に移動させる副走査パルスモータ６１と、４つのフィルタ部材５１ａ、５１ｂ、５１ｃ、５１ｄを備えたフィルタユニット４８を移動させるフィルタユニットモータ７２を備えている。
【０１３２】
コントロールユニット７０は、第１のレーザ励起光源２１、第２のレーザ励起光源２２または第３のレーザ励起光源２３に選択的に駆動信号を出力するとともに、フィルタユニットモータ７２に駆動信号を出力可能に構成されている。
【０１３３】
図１４は、データ処理装置５６のブロックダイアグラムである。
【０１３４】
図１４に示されるように、データ処理装置５６は、送信バッファ１４に、一時的に記憶されたディジタルデータを受信し、一時的に記憶するデータ一時記憶部７５と、データ一時記憶部７５に記憶されたディジタルデータに基づいて、バックグラウンドノイズ補正データを生成する補正データ生成部７６と、データ一時記憶部７５に記憶されたディジタルデータを読み出し、補正データ生成部７６によって生成されたバックグラウンドノイズ補正データにしたがって、バックグラウンドノイズ補正を施すなど、ディジタルデータに所定のデータ処理を施すデータ処理部７７と、データ処理部７７によって、データ処理が施されたディジタルデータを記憶するデータ記憶部７８を備えている。
【０１３５】
以上のように構成されたスキャナは、以下のようにして、生化学解析用ユニット１の吸着性基板２に形成された多数のスポット状領域３に含まれている放射性標識物質によって、多数の輝尽性蛍光体層領域１２が露光されて、蓄積性蛍光体シート１０に記録された放射性標識物質の放射線データを読み取って、生化学解析用データを生成する。
【０１３６】
まず、ユーザーによって、蓄積性蛍光体シート１０が、ステージ４０のガラス板４１上に載置される。
【０１３７】
次いで、ユーザーによって、キーボード７１に、蓄積性蛍光体シート１０に形成された多数の輝尽性蛍光体層領域１２に記録された放射線データを読み取るべき旨の指示信号が入力される。
【０１３８】
キーボード７１に入力された指示信号は、コントロールユニット７０に入力され、指示信号を受けると、コントロールユニット７０は、指示信号にしたがって、フィルタユニットモータ７２に駆動信号を出力し、フィルタユニット４８を移動させ、輝尽性蛍光体から放出される輝尽光の波長域の光のみを透過し、６４０ｎｍの波長の光をカットする性質を有するフィルタ５２ｄを備えたフィルタ部材５１ｄを、輝尽光４５の光路内に位置させる。
【０１３９】
次いで、コントロールユニット７０は、第１のレーザ励起光源２１に駆動信号を出力し、第１のレーザ励起光源２１を起動させ、６４０ｎｍの波長のレーザ光２４を発せさせる。
【０１４０】
第１のレーザ励起光源２１から発せられたレーザ光２４は、コリメータレンズ２５によって、平行な光とされた後、ミラー２６に入射して、反射される。
【０１４１】
ミラー２６によって反射されたレーザ光２４は、第１のダイクロイックミラー２７および第２のダイクロイックミラー２８を透過し、ミラー２９に入射する。
【０１４２】
ミラー２９に入射したレーザ光２４は、ミラー２９によって反射されて、さらに、ミラー３２に入射して、反射される。
【０１４３】
ミラー３２によって反射されたレーザ光２４は、穴開きミラー３４の穴３３を通過して、凹面ミラー３８に入射する。
【０１４４】
凹面ミラー３８に入射したレーザ光２４は、凹面ミラー３８によって反射されて、光学ヘッド３５に入射する。
【０１４５】
光学ヘッド３５に入射したレーザ光２４は、ミラー３６によって反射され、非球面レンズ３７によって、ステージ４０ガラス板４１上に載置された蓄積性蛍光体シート１０の支持体１１に形成された輝尽性蛍光体層領域１２に集光される。
【０１４６】
本実施態様においては、蓄積性蛍光体シート１０の多数の輝尽性蛍光体層領域１２は、放射線エネルギーを減衰させる性質を有するステンレス鋼によって形成された支持体１１に、互いに離間して形成されているから、輝尽性蛍光体層領域１２に入射したレーザ光２４が、散乱して、隣り合う輝尽性蛍光体層領域１２に含まれている輝尽性蛍光体を励起することを、効果的に防止することが可能になる。
【０１４７】
レーザ光２４が、蓄積性蛍光体シート１０の支持体１１に形成された輝尽性蛍光体層領域１２に入射すると、輝尽性蛍光体層領域１２に含まれている輝尽性蛍光体が、レーザ光２４によって励起されて、輝尽性蛍光体から輝尽光４５が放出される。
【０１４８】
蓄積性蛍光体シート１０の輝尽性蛍光体層領域１２に含まれている輝尽性蛍光体から放出された輝尽光４５は、光学ヘッド３５に設けられた非球面レンズ３７によって集光され、ミラー３６によって、レーザ光２４の光路と同じ側に反射され、平行な光とされて、凹面ミラー３８に入射する。
【０１４９】
凹面ミラー３８に入射したレーザ光２４は、凹面ミラー３８によって反射されて、穴開きミラー３４に入射する。
【０１５０】
穴開きミラー３４に入射した輝尽光４５は、凹面ミラーによって形成された穴開きミラー３４によって、図７に示されるように、下方に反射され、フィルタユニット４８のフィルタ５２ｄに入射する。
【０１５１】
フィルタ５２ｄは、輝尽性蛍光体から放出される輝尽光の波長域の光のみを透過し、６４０ｎｍの波長の光をカットする性質を有しているので、励起光である６４０ｎｍの波長の光がカットされ、輝尽光の波長域の光のみがフィルタ５２ｄを透過して、フォトマルチプライア５０によって、光電的に検出される。
【０１５２】
前述のように、光学ヘッド３５は、基板６２に設けられた主走査パルスモータ６５によって、基板６２上を、図１２において、矢印Ｘで示される主走査方向に移動されるとともに、副走査パルスモータ６１によって、基板６２が、図１２において、矢印Ｙで示される副走査方向に移動されるため、蓄積性蛍光体シート１０の支持体１１に形成されたすべての輝尽性蛍光体層領域１２がレーザ光２４によって走査され、蓄積性蛍光体シート１０の輝尽性蛍光体層領域１２に含まれている輝尽性蛍光体から放出された輝尽光４５を、フォトマルチプライア５０によって光電的に検出することによって、蓄積性蛍光体シート１０の多数の輝尽性蛍光体層領域１２に記録された放射性標識物質の放射線データを読み取って、生化学解析用のアナログデータを生成することができる。
【０１５３】
蓄積性蛍光体シート１０は、多数の輝尽性蛍光体層領域１２の間の支持体１１に形成された多数の凹部１４に、輝尽性蛍光体が埋め込まれて、形成された多数の付加的輝尽性蛍光体層領域１５を備えており、多数の付加的輝尽性蛍光体層領域１５は、ハイブリダイゼーションに際して、多数のスポット状領域３が形成されていない生化学解析用ユニット１の表面に付着し、洗浄後も残存している放射性標識物質から放出される電子線（β線）や、環境放射線などによって露光され、放射線エネルギーを蓄積しているため、レーザ光２４によって、蓄積性蛍光体シート１０が走査される際、多数の付加的輝尽性蛍光体層領域１５に含まれている輝尽性蛍光体が、レーザ光２４によって励起されて、輝尽光４５が放出され、多数の輝尽性蛍光体層領域１２に含まれた輝尽性蛍光体から放出された輝尽光４５と全く同様にして、多数の付加的輝尽性蛍光体層領域１５に含まれた輝尽性蛍光体から放出された輝尽光４５も、フォトマルチプライア５０によって、光電的に検出される。
【０１５４】
したがって、蓄積性蛍光体シート１０の支持体１１に形成されたすべての輝尽性蛍光体層領域１２を、レーザ光２４によって走査して生成されたアナログデータには、蓄積性蛍光体シート１０の支持体１１に形成された多数の付加的輝尽性蛍光体層領域１５に含まれている輝尽性蛍光体から放出された輝尽光４５を検出して、生成されたアナログデータも含まれている。
【０１５５】
フォトマルチプライア５０によって光電的に検出されて、生成されたアナログデータは、Ａ／Ｄ変換器５３により、信号変動幅に適したスケールファクタで、ディジタルデータに変換され、ラインバッファ５４に入力される。
【０１５６】
ラインバッファ５４に、主走査線１ライン分のディジタルデータが記憶されると、ディジタルデータは、ラインバッファ５４の容量よりもより大きな容量を有する送信バッファ５５に出力され、送信バッファ５５に、所定の容量のディジタルデータが記憶されると、ディジタルデータは、データ処理装置５６に出力される。
【０１５７】
データ処理装置５６に出力されたディジタルデータは、データ一時記憶部７５に一時的に記憶される。
【０１５８】
データ一時記憶部７５に一時的に記憶されたディジタルデータは、補正データ生成部７６に出力されるとともに、データ処理部７７に出力される。
【０１５９】
ここに、上述のように、蓄積性蛍光体シート１０の支持体１１に形成された多数の付加的輝尽性蛍光体層領域１５は、ハイブリダイゼーションに際して、多数のスポット状領域３が形成されていない生化学解析用ユニット１の表面に付着し、洗浄後も残存している放射性標識物質から放出される電子線（β線）や、環境放射線などによってのみ露光され、生化学解析用ユニット１の基板２に形成された多数のスポット状領域３に選択的に含まれている放射性標識物質から放出された電子線（β線）によって露光されていない。したがって、蓄積性蛍光体シート１０の支持体１１に形成された多数の付加的輝尽性蛍光体層領域１５をレーザ光によって走査し、多数の付加的輝尽性蛍光体層１５から放出された輝尽光４５を光電的に検出して、生成したディジタルデータは、バックグラウンドノイズに対応するものであるから、補正データ生成部７６は、データ一時記憶部７５から入力されたディジタルデータに基づいて、多数の付加的輝尽性蛍光体層１５から放出された輝尽光４５を光電的に検出することにより生成したディジタルデータから、バックグラウンドノイズ補正データを生成して、データ処理部７７に出力する。
【０１６０】
データ処理部７７は、データ一時記憶部７５から入力されたディジタルデータから、補正データ生成部７６から入力されたバックグラウンドノイズ補正データを減算して、バックグラウンドノイズを補正し、さらに、必要なデータ処理を実行して、データ処理後のディジタルデータをデータ記憶部７８に記憶させとともに、データ一時記憶部７５に記憶されていたディジタルデータを消去する。
【０１６１】
こうして、バックグラウンドノイズが補正され、必要に応じて、その他のデータ処理が施され、データ記憶部７８に記憶されたディジタルデータに基づいて、所望のように、定量解析が実行される。
【０１６２】
一方、ゲル支持体あるいは転写支持体に記録された蛍光色素によって標識された変性ＤＮＡの電気泳動データなどの蛍光物質の蛍光データを読み取って、生化学解析用データを生成するときは、まず、ユーザーによって、蛍光データが記録されているゲル支持体あるいは転写支持体が、ステージ４０のガラス板４１上にセットされる。
【０１６３】
次いで、ユーザーによって、キーボード７１に、蛍光物質の種類が入力されると、コントロールユニット７０により、第１のレーザ励起光源２１、第２のレーザ励起光源２２および第３のレーザ励起光源２３の中から、入力された蛍光物質を効率的に励起することのできる波長のレーザ光２４を発するレーザ励起光源が選択されるとともに、３つのフィルタ部材５１ａ、５１ｂ、５１ｃの中から、入力された蛍光物質を励起するために用いるレーザ光２４の波長の光をカットし、蛍光物質の励起に用いるレーザ光２４の波長よりも波長の長い光を透過する性質を有するフィルタ部材が選択される。
【０１６４】
次いで、レーザ光２４によって、ゲル支持体あるいは転写支持体の全面が走査され、蛍光物質から放出された蛍光４５が、フォトマルチプライア５０によって、光電的に検出されて、アナログデータが生成され、Ａ／Ｄ変換器によって、ディジタル化されて、生化学解析用データが生成される。
【０１６５】
本実施態様によれば、生化学解析用ユニット１の吸着性基板２に形成された多数のスポット状領域３に選択的に含まれている放射性標識物質によって、蓄積性蛍光体シートの支持体１１に形成された多数の輝尽性蛍光体層領域１２を露光するに際し、生化学解析用ユニット1の多数のスポット状領域３に選択的に含まれた放射性標識物質から電子線（β線）が発せられるが、蓄積性蛍光体シート１０の多数の輝尽性蛍光体層領域１２は、生化学解析用ユニット１の基板２に形成された多数のスポット状領域３と、同一の規則的パターンで、支持体１１に形成され、それぞれ、生化学解析用ユニット１の基板２に形成された対応するスポット状領域３と対向するように、蓄積性蛍光体シート１０が生化学解析用ユニット１に重ね合わされているから、生化学解析用ユニット１の基板２に形成された各スポット状領域３に含まれている放射性標識物質から放出される電子線（β線）は、対応する輝尽性蛍光体層領域１２にのみ入射し、生化学解析用ユニット１の支持体１１が放射線を実質的に透過しないステンレス鋼によって形成されているため、電子線（β線）が蓄積性蛍光体シート１０の支持体１１内で散乱することも防止され、したがって、生化学解析用ユニット１の基板２に形成されたスポット状領域３のそれぞれに含まれている放射性標識物質から放出された電子線（β線）によって、対向する輝尽性蛍光体層領域１２のみを確実に露光することが可能になり、したがって、露光された多数の輝尽性蛍光体層領域１２を励起光によって走査し、多数の輝尽性蛍光体層領域１２から放出された輝尽光４５を光電的に検出することによって、高い分解能で、定量性に優れた生化学解析用のデータを生成することが可能になる。
【０１６６】
しかしながら、多数のスポット状領域３が形成されていない生化学解析用ユニット１の表面に、ハイブリダイゼーションに際して、付着した放射性標識物質を完全に洗浄することはきわめて困難であるので、蓄積性蛍光体シート１０の支持体１１に多数の輝尽性蛍光体層領域１２を形成した場合でも、多数のスポット状領域３が形成されていない生化学解析用ユニット１の表面には、ハイブリダイゼーションに際して、付着した放射性標識物質が、洗浄後も残存し、残存した放射性標識物質から放出された電子線（β線）が、蓄積性蛍光体シート１０の支持体１１に形成された輝尽性蛍光体層領域１２に入射することは避け難く、また、環境放射線も、蓄積性蛍光体シート１０に形成された輝尽性蛍光体層領域１２に入射するため、蓄積性蛍光体シート１０の支持体１１に形成され、生化学解析用ユニット１の吸着性基板２に形成された多数のスポット状領域３に選択的に含まれている放射性標識物質によって露光された多数の輝尽性蛍光体層領域１２を、レーザ光２４によって走査し、多数の輝尽性蛍光体層領域１２から放出された輝尽光を光電的に検出することにより生成した生化学解析用のディジタルデータは、ハイブリダイゼーションに際して、多数のスポット状領域３が形成されていない生化学解析用ユニット１の表面に付着し、洗浄後も残存している放射性標識物質から放出される電子線（β線）や、環境放射線などが、蓄積性蛍光体シート１０の支持体１１に形成された多数の輝尽性蛍光体層領域１２に入射することに起因するバックグラウンドノイズを不可避的に含んでいる。
【０１６７】
しかるに、本実施態様によれば、生化学解析用ユニット１の基板２に形成された各スポット状領域３に含まれている放射性標識物質によって、蓄積性蛍光体シート１０の支持体１１に形成された対応する輝尽性蛍光体層領域１２を選択的に露光することが可能になる一方で、蓄積性蛍光体シート１０の支持体１１に形成された多数の付加的輝尽性蛍光体層領域１５に、生化学解析用ユニット１の基板２に形成された多数のスポット状領域３に選択的に含まれている放射性標識物質から放出された電子線（β線）が入射し、多数の付加的輝尽性蛍光体層領域１５が露光されることを効果的に防止することができるから、蓄積性蛍光体シート１０の支持体１１に形成された多数の付加的輝尽性蛍光体層領域１５には、もっぱら、ハイブリダイゼーションに際して、多数のスポット状領域３が形成されていない生化学解析用ユニット１の表面に付着し、洗浄後も残存している放射性標識物質から放出される電子線（β線）や、環境放射線などが入射し、蓄積性蛍光体シート１０の支持体１１に形成された多数の付加的輝尽性蛍光体層領域１５は、ハイブリダイゼーションに際して、多数のスポット状領域３が形成されていない生化学解析用ユニット１の表面に付着し、洗浄後も残存している放射性標識物質から放出される電子線（β線）や、環境放射線などによってのみ露光され、したがって、多数の付加的輝尽性蛍光体層領域１５をレーザ光によって走査し、蓄積性蛍光体シート１０の支持体１１に形成された多数の付加的輝尽性蛍光体層１５から放出された輝尽光を光電的に検出することにより生成したディジタルデータは、バックグラウンドノイズに対応するものとなる。
【０１６８】
したがって、本実施態様によれば、データ処理装置５６の補正データ生成部７６が、蓄積性蛍光体シート１０の支持体１１に形成された多数の付加的輝尽性蛍光体層１５から放出された輝尽光４５を光電的に検出することによって生成したディジタルデータから、バックグラウンドノイズ補正データを生成し、データ処理部７７が、蓄積性蛍光体シート１０の全面を、レーザ光２４によって走査して生成されたディジタルデータから、補正データ生成部７６により生成されたバックグラウンドノイズ補正データを減算して、バックグラウンドノイズを補正するように構成しているから、精度よく、バックグラウンドノイズを除去した生化学解析用データを生成することが可能になる。
【０１６９】
さらに、本実施態様によれば、蓄積性蛍光体シート１０の多数の付加的輝尽性蛍光体層領域１５が、多数の輝尽性蛍光体層領域１２の間の支持体１１に規則的に形成された多数の凹部１４に、輝尽性蛍光体が埋め込まれて、形成されているから、蓄積性蛍光体シート１０の表面上の位置によって、バックグラウンドノイズが変動しても、精度よく、バックグラウンドノイズを除去した生化学解析用データを生成することが可能になる。
【０１７０】
図１５は、本発明の別の好ましい実施態様にかかる蓄積性蛍光体シートの略斜視図である。
【０１７１】
図１５に示されるように、本実施態様にかかる蓄積性蛍光体シート８０は、窒化ケイ素によって形成された支持体８１と、支持体８１に、互いに離間して形成された多数の貫通孔８３に、輝尽性蛍光体が埋め込まれて、形成された多数の輝尽性蛍光体層領域８２と、多数の輝尽性蛍光体層領域８２の間の支持体８１に形成された互いに直交する２本の溝８４に、輝尽性蛍光体が埋め込まれて、形成されたストライプ状の付加的輝尽性蛍光体層領域８５を備えている。
【０１７２】
ここに、多数の貫通孔８３は、生化学解析用ユニット１の吸着性基板２に形成された多数のスポット状領域３と、同一の規則的パターンで、支持体８１に形成され、したがって、蓄積性蛍光体シート８０を生化学解析用ユニット１と重ね合わせたときに、各輝尽性蛍光体層領域８２が、生化学解析用ユニット１の吸着性基板２に形成された対応するスポット状領域３とのみ、対向するように、蓄積性蛍光体シート８０が構成されている。
【０１７３】
本実施態様においても、生化学解析用ユニット１の吸着性基板２に形成された多数のスポット状領域３に選択的に含まれている放射性標識物質によって、蓄積性蛍光体シート８０の支持体８１に形成された多数の輝尽性蛍光体層領域８２を露光するときは、生化学解析用ユニット１の基板２に形成された多数のスポット状領域３と、同一の規則的パターンで、蓄積性蛍光体シート８０の支持体８１に形成された多数の輝尽性蛍光体層領域８２が、それぞれ、生化学解析用ユニット１の基板２に形成された対応するスポット状領域３と対向するように、蓄積性蛍光体シート８０が生化学解析用ユニット１に重ね合わされる。
【０１７４】
したがって、生化学解析用ユニット１の基板２に形成された各スポット状領域３に含まれている放射性標識物質から放出される電子線（β線）は、蓄積性蛍光体シート８０の対応する輝尽性蛍光体層領域８２にのみ入射し、蓄積性蛍光体シート８０の支持体８１が放射線エネルギーを減衰させる性質を有する窒化ケイ素によって形成されているため、電子線（β線）が蓄積性蛍光体シート８０の支持体８１内で散乱することも防止されるから、生化学解析用ユニット１の基板２に形成された各スポット状領域３に含まれている放射性標識物質によって、蓄積性蛍光体シート８０の対応する輝尽性蛍光体層領域８２のみを選択的に露光することが可能になり、したがって、露光された多数の輝尽性蛍光体層領域８２を励起光によって走査し、多数の輝尽性蛍光体層領域８２から放出された輝尽光４５を光電的に検出することによって、高い分解能で、定量性に優れた生化学解析用のデータを生成することが可能になる。
【０１７５】
その一方で、蓄積性蛍光体シート８０の支持体８１に形成されたストライプ状の付加的輝尽性蛍光体層領域８５に、生化学解析用ユニット１の基板２に形成された多数のスポット状領域３に選択的に含まれている放射性標識物質から放出された電子線（β線）が入射し、多数の付加的輝尽性蛍光体層領域８５が露光されることを効果的に防止することができるから、蓄積性蛍光体シート８０の支持体８１に形成されたストライプ状の付加的輝尽性蛍光体層領域８５には、もっぱら、ハイブリダイゼーションに際して、多数のスポット状領域３が形成されていない生化学解析用ユニット１の表面に付着し、洗浄後も残存している放射性標識物質から放出される電子線（β線）や、環境放射線などが入射し、ストライプ状の付加的輝尽性蛍光体層領域８５は、ハイブリダイゼーションに際して、多数のスポット状領域３が形成されていない生化学解析用ユニット１の表面に付着し、洗浄後も残存している放射性標識物質から放出される電子線（β線）や、環境放射線などによってのみ露光され、したがって、ストライプ状の付加的輝尽性蛍光体層領域８５をレーザ光によって走査し、ストライプ状の付加的輝尽性蛍光体層８５から放出された輝尽光を光電的に検出することにより生成したディジタルデータは、バックグラウンドノイズに対応するものとなるから、前記実施態様と同様にして、ストライプ状の付加的輝尽性蛍光体層８５から放出された輝尽光４５を光電的に検出することによって生成したディジタルデータから、バックグラウンドノイズ補正データを生成して、蓄積性蛍光体シート８０の全面を、レーザ光２４によって走査して生成されたディジタルデータから、バックグラウンドノイズ補正データを減算することによって、精度よく、バックグラウンドノイズを除去した生化学解析用データを生成することが可能になる。
【０１７６】
図１６は、本発明の他の好ましい実施態様にかかる蓄積性蛍光体シートの略斜視図である。
【０１７７】
図１６に示されるように、本実施態様にかかる蓄積性蛍光体シート９０は、ポリエチレンテレフタレートによって形成された支持体９１と、規則的なパターンで、支持体９１の表面上に形成された多数の輝尽性蛍光体層領域９２と、多数の輝尽性蛍光体層領域９２の間の支持体９１の表面上に、規則的に形成された多数の付加的輝尽性蛍光体層領域９５を備えている。
【０１７８】
ここに、多数の輝尽性蛍光体層領域９２は、生化学解析用ユニット１の吸着性基板２に形成された多数のスポット状領域３と、同一の規則的パターンで、かつ、多数のスポット状領域３と等しいサイズで、略円形状に、支持体９１の表面上に形成されており、したがって、蓄積性蛍光体シート９０と生化学解析用ユニット１とを重ね合わせて、露光するときに、各輝尽性蛍光体層領域９２が、生化学解析用ユニット１の基板２に形成された対応するスポット状領域３とのみ、対向し、当接するように、蓄積性蛍光体シート９０が構成されている。
【０１７９】
本実施態様によれば、生化学解析用ユニット１の吸着性基板２に形成された多数のスポット状領域３に選択的に含まれている放射性標識物質によって、蓄積性蛍光体シートの支持体９１の表面上に形成された多数の輝尽性蛍光体層領域８２を露光するときに、生化学解析用ユニット１の基板２に形成された多数のスポット状領域３と、同一の規則的パターンで、蓄積性蛍光体シート９０の支持体９１の表面上に形成された各輝尽性蛍光体層領域９２が、生化学解析用ユニット１の基板２に形成された対応するスポット状領域３とのみ、対向し、当接するように、蓄積性蛍光体シート９０と生化学解析用ユニット１とが重ね合わされるから、生化学解析用ユニット１の基板２に形成された各スポット状領域３に含まれている放射性標識物質から放出される電子線（β線）のほとんどは、対応する輝尽性蛍光体層領域１２に入射し、したがって、生化学解析用ユニット１の基板２に形成されたスポット状領域３に選択的に含まれている放射性標識物質によって、蓄積性蛍光体シート９０の対応する輝尽性蛍光体層領域８２を選択的に露光することが可能になるから、露光された多数の輝尽性蛍光体層領域９２を励起光によって走査し、多数の輝尽性蛍光体層領域９２から放出された輝尽光４５を光電的に検出することによって、高い分解能で、定量性に優れた生化学解析用のデータを生成することが可能になる。
【０１８０】
その一方で、蓄積性蛍光体シート９０の支持体９１の表面上に形成された多数の付加的輝尽性蛍光体層領域９５に、生化学解析用ユニット１の基板２に形成された多数のスポット状領域３に含まれている放射性標識物質から放出された電子線（β線）が入射し、多数の付加的輝尽性蛍光体層領域９５が露光されることを効果的に防止することができるから、蓄積性蛍光体シート９０の支持体９１の表面上に形成された多数の付加的輝尽性蛍光体層領域９５には、もっぱら、ハイブリダイゼーションに際して、多数のスポット状領域３が形成されていない生化学解析用ユニット１の基板２の表面に付着し、洗浄後も残存している放射性標識物質から放出される電子線（β線）や、環境放射線などが入射し、蓄積性蛍光体シート９０の支持体９１の表面上に形成された多数の付加的輝尽性蛍光体層領域９５は、ハイブリダイゼーションに際して、多数のスポット状領域３が形成されていない生化学解析用ユニット１の基板２の表面に付着し、洗浄後も残存している放射性標識物質から放出される電子線（β線）や、環境放射線などによってのみ露光され、したがって、多数の付加的輝尽性蛍光体層領域９５をレーザ光によって走査し、多数の付加的輝尽性蛍光体層９５から放出された輝尽光を光電的に検出することにより生成した生化学解析用のディジタルデータは、バックグラウンドノイズに対応するものとなるから、前記実施態様と同様にして、多数の付加的輝尽性蛍光体層９５から放出された輝尽光４５を光電的に検出することによって生成したディジタルデータから、バックグラウンドノイズ補正データを生成して、蓄積性蛍光体シート９０の全面を、レーザ光２４によって走査して生成されたディジタルデータから、バックグラウンドノイズ補正データを減算することによって、精度よく、バックグラウンドノイズを除去した生化学解析用のデータを生成することが可能になる。
【０１８１】
本発明は、以上の実施態様に限定されることなく、特許請求の範囲に記載された発明の範囲内で種々の変更が可能であり、それらも本発明の範囲内に包含されるものであることはいうまでもない。
【０１８２】
たとえば、前記実施態様においては、特異的結合物質として、塩基配列が既知の互いに異なった複数のｃＤＮＡが用いられているが、本発明において使用可能な特異的結合物質はｃＤＮＡに限定されるものではなく、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質はすべて、本発明の特異的結合物質として使用することができる。
【０１８３】
さらに、前記実施態様においては、放射性標識物質によって標識された生体由来の物質が、特異的結合物質にハイブリダイズされているが、生体由来の物質を、特異的結合物質にハイブリダイズさせることは必ずしも必要でなく、生体由来の物質を、ハイブリダイゼーションに代えて、抗原抗体反応、リセプター・リガンドなどの反応によって、特異的結合物質に特異的に結合させることもできる。
【０１８４】
さらに、前記実施態様においては、生化学解析用ユニット１は、吸着性基板２の表面上に、ｃＤＮＡなどの特異的結合物質を含む溶液を滴下し、放射性標識物質によって標識された生体由来の物質を、特異的結合物質にハイブリダイズさせて、形成された多数のスポット状領域３を備えているが、基板に、多数の貫通孔あるいは凹部を形成し、基板に形成された多数の貫通孔あるいは凹部の内部に、ナイロン６などの吸着性材料を充填して、互いに離間した多数の吸着性領域を形成し、多数の吸着性領域に、ｃＤＮＡなどの特異的結合物質を含む溶液を滴下し、放射性標識物質によって標識された生体由来の物質を、多数の吸着性領域に含まれた特異的結合物質に選択的にハイブリダイズさせて、生化学解析用ユニット１を形成するようにしてもよい。
【０１８５】
また、図１ないし図１４に示された実施態様においては、蓄積性蛍光体シート１０の支持体１１が、ステンレス鋼によって形成され、図１５に示された実施態様においては、蓄積性蛍光体シート８０の支持体８１が、窒化ケイ素によって形成され、図１６に示された実施態様においては、蓄積性蛍光体シート９０の支持体９１が、ポリエチレンテレフタレートによって形成されているが、蓄積性蛍光体シート１０、８０、９０の支持体１１、８１、９１を、ステンレス鋼、窒化ケイ素あるいはポリエチレンテレフタレートによって形成することは必ずしも必要でなく、他の材料によって、蓄積性蛍光体シート１０、８０、９０の支持体１１、８１、９１を形成することもできる。蓄積性蛍光体シート１０、８０、９０の支持体１１、８１、９１は、放射線エネルギーを減衰させる性質を有する材料によって形成されていることが好ましいが、その材料はとくに限定されるものではない。蓄積性蛍光体シート１０、８０、９０の支持体１１、８１、９１は、無機化合物材料、有機化合物材料のいずれによって形成することもできるが、とくに好ましくは、金属材料、セラミック材料またはプラスチック材料によって形成される。無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。有機化合物材料としては、高分子化合物が好ましく用いられ、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。
【０１８６】
また、前記実施態様においては、蓄積性蛍光体シート１０、８０、９０の輝尽性蛍光体層領域１２、８２、９２は、いずれも、生化学解析用ユニット１の吸着性基板２に形成された多数のスポット状領域３と等しいサイズで、略円形状に形成されているが、蓄積性蛍光体シート１０、８０、９０の輝尽性蛍光体層領域１２、８２、９２が略円形状に形成されることは必ずしも必要でなく、略矩形状などの円形以外の形状に形成してもよく、また、蓄積性蛍光体シート１０、８０、９０の輝尽性蛍光体層領域１２、８２、９２を、そのサイズが、生化学解析用ユニット１のスポット状領域３のサイズと等しくなるように、形成することも必ずしも必要でない。
【０１８７】
さらに、前記実施態様においては、約０．０７平方ミリメートルのサイズを有する略円形のスポット状領域３が、１２０列×１６０行のマトリックス状に、吸着性基板２に、規則的に形成され、したがって、合計１９２００のスポット状領域３が形成されており、したがって、蓄積性蛍光体シート１０、８０、９０の支持体１１、８１、９１には、約０．０７平方ミリメートルのサイズを有する合計１９２００の円形の輝尽性蛍光体層領域１２、８２、９２が、１２０列×１６０行のマトリックス状に形成されているが、スポット状領域３の数およびサイズは、目的に応じて、任意に選択をすることができ、したがって、蓄積性蛍光体シート１０、８０、９０の支持体１１、８１、９１に形成される輝尽性蛍光体層領域１２、８２、９２の数およびサイズも、目的に応じて、任意に選択をすることができる。好ましくは、１０以上の５平方ミリメートル未満のサイズを有するスポット状領域３が、１０個／平方センチメートル以上の密度で、生化学解析用ユニット１の吸着性基板２に形成され、蓄積性蛍光体シート１０、８０、９０の支持体１１、８１、９１に、１０以上の５平方ミリメートル未満のサイズを有する輝尽性蛍光体層領域１２、８２、９２が、１０個／平方センチメートル以上の密度で、形成される。
【０１８８】
また、前記実施態様においては、蓄積性蛍光体シート１０、８０、９０の輝尽性蛍光体層領域１２、８２、９２は、生化学解析用ユニット１の吸着性基板２に形成された多数のスポット状領域３と同一の規則的なパターンで、形成されているが、蓄積性蛍光体シート１０、８０、９０の輝尽性蛍光体層領域１２、８２、９２は、生化学解析用ユニット１の吸着性基板２に形成された多数のスポット状領域３と同一のパターンで、形成されていればよく、生化学解析用ユニット１の吸着性基板２に、規則的なパターンで、多数のスポット状領域３を形成することも、蓄積性蛍光体シート１０、８０、９０の輝尽性蛍光体層領域１２、８２、９２を、規則的なパターンで形成することも必ずしも必要でない。
【０１８９】
さらに、図１ないし図１４に示された実施態様および図１６に示された実施態様においては、多数の輝尽性蛍光体層領域１２、９２の間の支持体１１、９１に、多数の付加的輝尽性蛍光体層領域１５、９５を形成しているが、多数の付加的輝尽性蛍光体層領域を、多数の輝尽性蛍光体層領域１２、９２の間に形成することは必ずしも必要ではなく、付加的輝尽性蛍光体層領域は、状況に応じて、支持体１１、９１の任意の位置に、任意の数だけ、設けることができる。
【０１９０】
また、図１５に示された実施態様においては、多数の輝尽性蛍光体層領域８２の間の支持体８１に形成された互いに直交する２本の溝８４に、輝尽性蛍光体が埋め込まれて、互いに直交する２本のストライプ状の付加的輝尽性蛍光体層領域８５が形成されているが、ストライプ状付加的輝尽性蛍光体層領域が直交していることは必ずしも必要でなく、その数も、状況に応じて、任意に決定することができる。
【０１９１】
さらに、図１ないし図１４に示された実施態様および図１６に示された実施態様においては、多数の付加的輝尽性蛍光体層領域１５、９５が、支持体１１に形成された多数の凹部１４内に、あるいは、支持体９１の表面上に形成されているが、多数の付加的輝尽性蛍光体層領域１５、９５に代えて、図１５に示された実施態様と同様に、ストライプ状の付加的輝尽性蛍光体層領域を、支持体１１に形成された凹部１４内に、あるいは、支持体９１の表面上に形成するようにしてもよい。
【０１９２】
また、図１５に示された実施態様においては、２本の互いに直交するストライプ状の付加的輝尽性蛍光体層領域８５が、支持体８１の溝８４内に形成されているが、２本の互いに直交するストライプ状の付加的輝尽性蛍光体層領域８５に代えて、図１ないし図１４および図１６に示された実施態様と同様に、多数の付加的輝尽性蛍光体層領域を、支持体８１に形成された多数の凹部内に、あるいは、支持体８１の表面上に形成するようにしてもよい。
【０１９３】
さらに、図１ないし図１４に示された実施態様および図１６に示された実施態様においては、多数の付加的輝尽性蛍光体層領域１５、９５は、その面積が、輝尽性蛍光体層領域１２、９２の面積よりも小さくなるように形成されているが、その面積が、輝尽性蛍光体層領域１２、９２の面積よりも小さくなるように多数の付加的輝尽性蛍光体層領域１５、９５を形成することは必ずしも必要でなく、多数の付加的輝尽性蛍光体層領域１５、９５の面積は、状況に応じて、任意に選択することができる。
【０１９４】
また、図１ないし図１４に示された実施態様においては、輝尽性蛍光体層領域１２の表面が、支持体１１の表面に一致するように、輝尽性蛍光体が多数の凹部１３内に埋め込まれて、多数の輝尽性蛍光体層領域１２が形成されているが、輝尽性蛍光体層領域１２の表面が、支持体１１の表面に一致するように、多数の輝尽性蛍光体層領域１２を形成することはかならずしも必要でなく、輝尽性蛍光体層領域１２の表面が、支持体１１の表面よりも下方に位置していても、あるいは、上方に位置していてもよい。
【０１９５】
さらに、図１５に示された実施態様においては、ストライプ状の付加的輝尽性蛍光体層領域８５は、支持体８１に形成された溝８４に、輝尽性蛍光体を充填して、形成されているが、支持体８１にスロットを形成し、スロット内に、輝尽性蛍光体を埋め込んで、ストライプ状の付加的輝尽性蛍光体層領域８５を形成するようにしてもよい。
【０１９６】
また、図１ないし図１４に示された実施態様においては、多数の付加的輝尽性蛍光体層領域１５は、支持体１１に形成された多数の凹部１４内に、輝尽性蛍光体を埋め込んで、形成されているが、凹部１４に代えて、支持体１１に多数の貫通孔を形成し、多数の貫通孔内に、輝尽性蛍光体を埋め込んで、多数の付加的輝尽性蛍光体層領域を形成することもできる。
【０１９７】
【発明の効果】
本発明によれば、生体由来の物質と特異的に結合可能で、かつ、塩基配列や塩基の長さ、組成などが既知の特異的結合物質を含む複数のスポット状領域を、担体表面に、高密度に形成し、複数のスポット状領域に含まれた特異的結合物質に、放射性標識物質によって標識された生体由来の物質を特異的に結合させて、複数のスポット状領域を選択的に標識した場合においても、高い分解能で、定量性に優れた生化学解析用のデータを生成することのできる蓄積性蛍光体シートおよび蓄積性蛍光体シートに記録された生化学解析用のデータの読み取り方法を提供することが可能になる。
【図面の簡単な説明】
【図１】図１は、生化学解析用ユニットの略斜視図である。
【図２】図２は、スポッティング装置の略正面図である。
【図３】図３は、ハイブリダイゼーション反応容器の略縦断面図である。
【図４】図４は、本発明の好ましい実施態様にかかる蓄積性蛍光体シートの略斜視図である。
【図５】図５は、生化学解析用ユニットの吸着性基板に形成された多数のスポット状領域内に含まれた放射性標識物質によって、蓄積性蛍光体シートの支持体に形成された多数の輝尽性蛍光体層領域を露光する方法を示す略断面図である。
【図６】図６は、蓄積性蛍光体シートの支持体に形成された多数の輝尽性蛍光体層領域に記録されている生化学解析用データを読み取る本発明の好ましい実施態様にかかるスキャナの示す略斜視図である。
【図７】図７は、図６に示されたスキャナのフォトマルチプライア近傍の詳細を示す略斜視図である。
【図８】図８は、図７のＡ−Ａ線に沿った略断面図である。
【図９】図９は、図７のＢ−Ｂ線に沿った断面図である。
【図１０】図１０は、図７のＣ−Ｃ線に沿った断面図である。
【図１１】図１１は、図７のＤ−Ｄ線に沿った断面図である。
【図１２】図１２は、光学ヘッドの走査機構の略平面図である。
【図１３】図１３は、本発明の好ましい実施態様にかかるスキャナの制御系、入力系および駆動系を示すブロックダイアグラムである。
【図１４】図１４は、データ処理装置のブロックダイアグラムである。
【図１５】図１５は、本発明の別の好ましい実施態様にかかる蓄積性蛍光体シートの略斜視図である。
【図１６】図１６は、本発明の他の好ましい実施態様にかかる蓄積性蛍光体シートの略斜視図である。
【符号の説明】
１  生化学解析用ユニット
２  吸着性基板
３  スポット状領域
５  スポッティング装置
６  インジェクタ
７  ＣＣＤカメラ
８  ハイブリダイズ容器
９  ハイブリダイズ液
１０  蓄積性蛍光体シート
１１  支持体
１２  輝尽性蛍光体層領域
１３  凹部
１４  凹部
１５  付加的輝尽性蛍光体層領域
２１  第１のレーザ励起光源
２２  第２のレーザ励起光源
２３  第３のレーザ励起光源
２４  レーザ光
２５  コリメータレンズ
２６  ミラー
２７  第１のダイクロイックミラー
２８  第２のダイクロイックミラー
２９  ミラー
３０  コリメータレンズ
３１  コリメータレンズ
３２  ミラー
３３  穴開きミラーの穴
３４  穴開きミラー
３５  光学ヘッド
３６  ミラー
３７  非球面レンズ
３８  凹面ミラー
４０  ステージ
４１  ガラス板
４５  蛍光あるいは輝尽光
４８  フィルタユニット
５０  フォトマルチプライア
５１ａ、５１ｂ、５１ｃ、５１ｄ  フィルタ部材
５２ａ、５２ｂ、５２ｃ、５２ｄ  フィルタ
５３  Ａ／Ｄ変換器
５４  ラインバッファ
５５  送信バッファ
５６  データ処理装置
６０  基板
６１  副走査パルスモータ
６２  一対のレール
６３  移動可能な基板
６４  ロッド
６５  主走査パルスモータ
６６  エンドレスベルト
６７  リニアエンコーダ
６８  リニアエンコーダのスリット
７０  コントロールユニット
７１  キーボード
７２  フィルタユニットモータ
７５  データ一時記憶部
７６  補正データ生成部
７７  データ処理部
７８  データ記憶部
８０  蓄積性蛍光体シート
８１  支持体
８２  輝尽性蛍光体層領域
８３  孔
８４  溝
８５  ストライプ状の付加的輝尽性蛍光体層領域
９０  蓄積性蛍光体シート
９１  支持体
９２  輝尽性蛍光体層領域
９５  付加的輝尽性蛍光体層領域
【図１】
0004153229.tif 000002
【図２】
0004153229.tif 000003
【図３】
0004153229.tif 000004
【図４】
0004153229.tif 000005
【図５】
0004153229.tif 000006
【図６】
0004153229.tif 000007
【図７】
0004153229.tif 000008
【図８】
0004153229.tif 000009
【図９】
0004153229.tif 000010
【図１０】
0004153229.tif 000011
【図１１】
0004153229.tif 000012
【図１２】
0004153229.tif 000013
【図１３】
0004153229.tif 000014
【図１４】
0004153229.tif 000015
【図１５】
0004153229.tif 000016
【図１６】
0004153229.tif 000017